(57)【要約】【課題】携帯電話の利用者がワン切り電話番号とする電話番号の着信を防止するとともに、利用者の一定のグループに関してワン切り電話の着信を防止するようにする。【解決手段】携帯電話１０は、送信されてきた電話番号が記述されたワン切り電話データが、記憶手段に登録されていると判定した場合には、着信があったことを非通知にし、記憶手段に登録されていないと判定された場合には、着信があったことを通知する。利用者情報管理装置２０は、特定されたグループ識別情報及び携帯電話１０に送信する電話番号を記述するワン切り電話番号等データが、記憶手段に登録されていると判定した場合には、携帯電話１０の電話番号を携帯電話１０に送信せず、一方、ワン切り電話番号等データ記憶手段に登録されていないと判定された場合に、携帯電話１０に電話番号を送信する。【選択図】図１
2007110213.tif 000002
【特許請求の範囲】
【請求項１】
着信があったときに発信側電話番号を取得する機能を備えた携帯電話機において、
前記携帯電話機により収集されたワン切り電話番号が登録されたワン切り電話番号記憶手段と、
前記携帯電話機の利用者に着信があったことを通知する着信通知手段とを備え、
前記着信通知手段は、前記発信側電話番号が前記ワン切り電話番号記憶手段に登録されている場合は着信通知を行わないことを特徴とした携帯電話機。
【請求項２】
着信があってから発信側により通信が切断されるまでの時間である受信時間を計測する計時手段と、
前記受信時間があらかじめ定められた所定時間未満である場合に、前記発信側電話番号を前記ワン切り電話番号記憶手段に登録する登録手段を備え、
前記受信時間が前記所定時間未満である場合に、前記着信通知手段は着信通知を行わないことを特徴とした請求項１に記載の携帯電話機。
【請求項３】
携帯電話の利用者により構成されるグループ毎に定義された判定電話番号が登録された判定電話番号記憶手段を備え、
前記発信元電話番号が前記判定電話番号記憶手段に登録されている場合には、前記ワン切り電話番号登録手段は作動せず、
前記着信通知手段は、着信履歴を残すことを特徴とした請求項２に記載の携帯電話機。
【請求項４】
前記判定電話番号を通信回線を介して接続可能なデータベースから取得し、取得した前記判定電話番号を前記判定電話番号記憶手段に登録する判定電話番号登録手段を備えたことを特徴とした請求項３に記載の携帯電話機。
【請求項５】
前記ワン切り電話番号記憶手段に登録されているワン切り電話番号と前記判定電話番号記憶手段に登録されている判定電話番号を、前記携帯電話機の利用者が属する前記グループの構成員がアクセスすることができるデータベースに登録するデータベース登録手段を備えたことを特徴とした請求項３または請求項４のいずれか一つに記載の携帯電話機。
【請求項６】
発信側の電話機と着信側の携帯電話機との間の通信を仲介し前記携帯電話機に発信側電話番号を通知する通信仲介手段を備え、前記携帯電話の利用者により構成されるグループに関する情報を管理する利用者情報管理装置において、
前記グループを識別するグループ識別情報と前記グループに属する利用者の携帯電話機の電話番号を対応付けて登録した利用者情報記憶手段と、
前記グループ毎に収集されたワン切り電話番号が登録されたグループ別ワン切り電話番号記憶手段とを備え、
前記通信仲介手段は、前記利用者情報記憶手段を検索して前記着信側の携帯電話機の利用者が属する前記グループの前記グループ識別情報を取得し、このグループ識別情報に対応する前記グループ別ワン切り電話番号記憶手段に前記発信側電話番号が登録されている場合には、通信仲介を行わないことを特徴とした利用者情報管理装置。
【請求項７】
携帯電話機からの登録要求に応じて、前記携帯電話機から送信された前記携帯電話機が収集したワン切り電話番号を前記携帯電話の利用者が属する前記グループに対応する前記グループ別ワン切り電話番号記憶手段に登録する管理装置側登録手段を備えたことを特徴とした請求項６に記載の利用者情報管理装置。
【請求項８】
前記管理装置側登録手段は、前記グループ別ワン切り電話番号記憶手段のデータ量が予め定められた閾値を超えた場合に、前記グループ別ワン切り電話番号記憶手段に登録されているワン切り電話番号の中で最も長期間アクセスのないものに前記携帯電話機から受信したワン切り電話番号を上書きすることにより登録を行うことを特徴とした請求項７に記載の利用者情報管理装置。
【請求項９】
前記グループ毎に前記判定電話番号を記憶するグループ別判定電話番号記憶手段と、
携帯電話機からの登録要求に応じて、前記携帯電話機から送信された判定電話番号を前記携帯電話機の利用者が属する前記グループに対応する前記グループ別判定電話番号記憶手段に登録する管理装置側判定電話番号登録手段と、
携帯電話機からの送信要求に応じて、前記携帯電話の利用者が属する前記グループに対応する前記グループ別判定電話番号記憶手段に登録された前記判定電話番号を前記携帯電話機に送信する判定電話番号送信手段とを備えたことを特徴とした請求項６ないし請求項８のいずれか一つに記載の利用者情報管理装置。
【請求項１０】
前記判定電話番号送信手段により送信された回数が予め定められた制限回数を超えた判定用電話番号を前記グループ別判定電話番号記憶手段から削除する判定用電話番号削除手段を備えたことを特徴とした請求項９に記載の利用者情報管理装置。
【請求項１１】
前記利用者情報記憶手段には、前記携帯電話機の認証情報が前記携帯電話機の電話番号と対応付けて登録され、
前記携帯電話機から送信された認証情報と前記利用者情報記憶手段に登録された認証情報を照合して前記登録要求および前記送信要求に対する認証を行う認証手段を備えたことを特徴とした請求項７ないし請求項１０のいずれか一つに記載の利用者情報管理装置。
【請求項１２】
前記認証情報は、前記携帯電話機の製造番号と前記携帯電話機毎に設定されたパスワードを含むことを特徴とした請求項１１に記載の利用者情報管理装置。
【請求項１３】
携帯電話機からの更新要求に応じ、前記利用者情報記憶手段に格納されている情報の追加または削除または変更をして前記利用者情報記憶手段を更新する更新手段を備え、
前記認証手段は前記更新要求に対する認証を行い、
前記認証情報は、前記パスワードとは別の更新用パスワードを含み、
前記利用者情報記憶手段には前記更新用パスワードが前記電話番号と対応付けされて登録されていることを特徴とした請求項１２に記載の利用者情報管理装置。
【請求項１４】
着信があったときに発信側電話番号を取得する機能を備えた携帯電話機と、発信側の電話機と着信側の携帯電話機との間の通信を仲介し前記携帯電話機に発信側電話番号を通知する通信仲介手段を備え、前記携帯電話の利用者により構成されるグループに関する情報を管理する利用者情報管理装置を備えたワン切り電話着信防止システムにおいて、
前記携帯電話機は、
前記利用者情報管理装置から前記発信側電話番号を取得する発信側電話番号取得手段と、
前記携帯電話機により収集されたワン切り電話番号が登録されたワン切り電話番号記憶手段と、
前記携帯電話機の利用者に着信があったことを通知する着信通知手段とを備え、
前記着信通知手段は、前記発信側電話番号が前記ワン切り電話番号記憶手段に登録されている場合は着信通知を行わないことを特徴とし、
前記利用者情報管理装置は、
前記グループを識別するグループ識別情報と前記グループに属する利用者の携帯電話機の電話番号を対応付けて登録した利用者情報記憶手段と、
前記グループ毎に収集されたワン切り電話番号が登録されたグループ別ワン切り電話番号記憶手段と、
前記通信仲介手段は、前記利用者情報記憶手段を検索して前記着信側の携帯電話機の属する前記グループの前記グループ識別情報を取得し、このグループ識別情報に対応する前記グループ別ワン切り電話番号記憶手段に前記発信側電話番号が登録されている場合には、前記着信側の携帯電話機に着信通知を行わないことを特徴としたワン切り電話着信防止システム。
【請求項１５】
前記携帯電話機は、
着信があってから発信側により通信が切断されるまでの時間である受信時間を計測する計時手段と、
前記受信時間があらかじめ定められた所定時間未満である場合に、前記発信側電話番号を前記ワン切り電話番号記憶手段に登録する登録手段と、
前記ワン切り電話番号記憶手段に登録されているワン切り電話番号を前記利用者情報管理装置に送信し、前記携帯電話機の利用者が属する前記グループに対応する前記グループ別ワン切り電話番号記憶手段への登録を要求する登録要求手段を備え、
前記受信時間が前記所定時間未満である場合に、前記着信通知手段は着信通知を行わないことを特徴とし、
前記利用者情報管理装置は、
前記携帯電話機からの登録要求に応じて、前記携帯電話機から送信されたワン切り電話番号を前記携帯電話の利用者が属する前記グループに対応する前記グループ別ワン切り電話番号記憶手段に登録する管理装置側登録手段を備えた
ことを特徴とした請求項１４に記載のワン切り電話着信防止システム。
【請求項１６】
前記管理装置側登録手段は、前記グループ別ワン切り電話番号記憶手段の登録量が予め定められた閾値を超えた場合に、前記グループ別ワン切り電話番号記憶手段に登録されているワン切り電話番号の中で最も長期間アクセスのないものに前記携帯電話機から受信したワン切り電話番号を上書きすることにより登録を行うことを特徴とした請求項１５に記載のワン切り電話着信防止システム。
【請求項１７】
前記利用者情報管理装置は、
前記グループ毎に前記判定電話番号を記憶するグループ別判定電話番号記憶手段と、
携帯電話機からの登録要求に応じて、前記携帯電話機から送信された判定電話番号を前記携帯電話の利用者が属する前記グループに対応する前記グループ別判定電話番号記憶手段に登録する管理装置側判定電話番号登録手段と、
携帯電話機からの送信要求に応じて、前記携帯電話の利用者が属する前記グループに対応する前記グループ別判定電話番号記憶手段に登録された前記判定電話番号を前記携帯電話機に送信する判定電話番号送信手段とを備え、
前記携帯電話機は、
前記グループごとに定義された判定電話番号が登録された判定電話番号記憶手段と、
前記判定電話番号記憶手段に登録されている判定電話番号を前記利用者情報管理装置に送信し、前記携帯電話機の利用者が属する前記グループに対応する前記グループ別判定電話番号記憶手段への登録を要求する判定電話番号登録要求手段と、
前記利用者情報管理装置に前記携帯電話機の利用者が属する前記グループに対応するグループ別判定電話番号記憶手段に登録されている前記判定電話番号の送信を要求し、この要求に応じて送信された前記判定電話番号を受信し前記判定電話番号記憶手段に登録する判定電話番号登録手段とを備え、
前記発信元電話番号が前記判定電話番号記憶手段に登録されている場合には、前記ワン切り電話番号登録手段は作動せず、
前記着信通知手段は、音声または振動による着信通知を行わないことを特徴とした請求項１４ないし請求項１６のいずれか一つに記載のワン切り電話着信防止システム。
【請求項１８】
前記判定電話番号送信手段により送信された回数が予め定められた制限回数を超えた判定電話番号を前記グループ別判定電話番号登録手段から削除する削除手段を備えたことを特徴とした請求項１７に記載のワン切り電話着信防止システム。
【請求項１９】
前記利用者情報記憶手段には、前記携帯電話機の認証情報が前記携帯電話機の電話番号と対応付けて登録され、
前記利用者情報管理装置は、前記携帯電話機から送信された認証情報と前記利用者情報記憶手段に登録された認証情報を照合して前記登録要求および前記送信要求に対する認証を行う認証手段を備えたことを特徴とした請求項１５ないし請求項１８のいずれか一つに記載のワン切り電話着信防止システム。
【請求項２０】
前記認証情報は、前記携帯電話機の製造番号と前記携帯電話機毎に設定されたパスワードを含むことを特徴とした請求項１９に記載のワン切り電話着信防止システム。
【請求項２１】
前記利用者情報管理装置は、
携帯電話機からの更新要求に応じ、前記利用者情報記憶手段に格納されている情報の追加または削除または変更をし前記利用者情報記憶手段を更新する更新手段を備え、
前記認証手段は前記編集要求に対する認証を行い、
前記認証情報は、前記パスワードとは別の更新用パスワードを含み、
前記利用者情報記憶手段には前記更新用パスワードが前記電話番号と対応付けされて登録されていることを特徴とした請求項２０に記載のワン切り電話着信防止システム。
【請求項２２】
着信側の携帯電話機と発信側の電話機との通信経路上で前記発信側の電話機の電話番号である発信側電話番号を取得する発信側電話番号取得工程と、
前記発信元電話番号が、前記携帯電話機の利用者からなるグループ毎に収集されたワン切り電話番号を登録するグループ別ワン切り電話番号記憶手段に登録されているか否かを判定する判定工程と、
この判定工程において前記発信元電話番号が前記グループ別ワン切り電話番号記憶手段に登録されていないと判定された場合にのみ作動し、前記発信元電話番号を前記着信側携帯電話機に通知する発信元電話番号通知工程とを備えたことを特徴としたワン切り電話着信防止方法。
【請求項２３】
コンピュータに、
着信側の携帯電話機と発信側の電話機との通信経路上で前記発信側の電話機の電話番号である発信側電話番号を取得する発信側電話番号取得機能と、
前記発信元電話番号が、前記携帯電話機の利用者からなるグループ毎に収集されたワン切り電話番号を登録するグループ別ワン切り電話番号記憶手段に登録されているか否かを判定する判定機能と、
この判定機能が前記発信元電話番号が前記グループ別ワン切り電話番号記憶手段に登録されていないと判定した場合にのみ作動し、前記発信元電話番号を前記着信側携帯電話機に通知する発信元電話番号通知機能とを実行させることを特徴としたワン切り電話着信防止プログラム。
【発明の詳細な説明】
【技術分野】
【０００１】
本発明は、携帯電話と、着信した電話番号を当該携帯電話に送信する利用者情報管理装置とが、通信網を介して通信接続されたワン切り電話着信防止システムに関する。
【背景技術】
【０００２】
今や、日本人の２人に１台以上の割合で普及し、便利な必需品になった携帯電話であるが、その一方、マナーを守らない利用者や迷惑なワン切り電話も多くなってきた。そこで、ワン切り電話の防止を解決する技術として、ワン切り電話の着信を管理する通信システム、並びに、携帯電話着信制限システムが開示されている（例えば、特許文献１及び特許文献２参照）。
【０００３】
特許文献１に記載されているワン切り電話の着信を管理する通信システムは、図２４に示すように、ワン切り業者番号管理サーバ５０の制御部５０３が、送受信部５０１で受信した通信端末装置からの電話番号を照合部５０４でワン切り業者番号データベース５０５に存在する番号であるか否かを判断する。制御部５０３は、ワン切り業者番号データベース５０５に受信した電話番号が存在する場合には、ワン切り業者からの着信を拒否するとともに、利用者に着信させない等の処理を施し、一方、存在しない場合には通常通りの着信処理を施している。
【０００４】
特許文献２に記載の携帯電話着信制限システムは、図２５に示すように、携帯電話端末６６が、利用者が事前に設定した条件により不特定多数からの着信を制限するか否かを決定する条件として着信制限情報を記憶しており、そして、着信の際に発信者情報を取得して、着信制限情報に基づき、規制条件を満たした際に当該発信者情報を制限発信者情報として記憶し、その後、当該発信者に対して着信制限を実行するか否かを決定して、着信制限を実行する場合には、着信拒否設定を着信規制処理装置６０に設定させる。着信規制処理装置６０は、着信拒否発信者登録部６０２が、携帯電話端末６６から送信されてきた着信拒否設定情報を基にして生成した着信拒否発信者情報を着信拒否発信者情報保持部６０１に登録する。着信許可判定処理部６０３は、着信拒否発信者情報保持部６０１に記憶されている着信拒否発信者情報を参照し、着信制限を設定している端末に対して着信を許可するか否かを判断し、着信の許可を拒否するものと判断した場合には、発信者に対して着信拒否通知を行っている。
【０００５】
【特許文献１】特開２００４−２７４２５６号公報
【特許文献２】特開２００４−３３６６３７号公報
【発明の開示】
【発明が解決しようとする課題】
【０００６】
しかしながら、特許文献１に記載のワン切り電話の着信を管理する通信システムでは、ワン切り業者番号管理サーバ５０により、通信端末装置５３に着信した電話番号がワン切り電話番号であるか否かが判定されるのみで、通信端末装置５３自体が、ワン切り電話番号であるか否かを判定しないので、ワン切り業者番号管理サーバ５０によりワン切り電話番号とされない電話番号の中の利用者にとって迷惑なワン切り電話番号を利用者に通知してしまうという問題点があった。
【０００７】
また、この通信システムでは、ワン切り業者番号管理サーバ５０のワン切り業者番号データベース５０５に登録されているワン切り電話番号が、この通信システムを利用する通信端末装置５３から不特定多数登録することが可能であるので、ワン切り電話番号の対象も必然的に多数になる。従って、通信端末装置を使用する利用者の例えば友人、親類等の一定のグループに関してワン切り電話の着信を防止するというきめの細かいサービスを通信端末装置５３に提供することができないという問題点があった。
【０００８】
特許文献２に記載の携帯電話着信制限システムでは、携帯電話端末６６においてワン切り電話であるか否かの判定を、内蔵するメモリ中の着信制限設定エリア内に記憶されている情報すべてと比較しているので、携帯電話端末６６がワン切り電話番号であるか否かの判定に時間を要するという問題点があった。
【０００９】
また、この携帯電話着信制限システムでは、着信規制制御装置６０の着信拒否発信者情報保持部６０１に保持される着信拒否発信情報が、着信規制処理装置６０に通信接続されているすべての携帯電話端末６６から広く収集した情報であるので、上記ワン切り電話の着信を管理する通信システム同様、ワン切り電話番号の対象も必然的に多数になり、携帯電話端末６６を使用する利用者の例えば友人、親類等の一定のグループに関してワン切り電話の着信を防止するというきめの細かいサービスを携帯電話端末装６６に提供することができないという問題点があった。
【００１０】
そこで、本発明は、業者から受信したワン切り電話番号とされない電話番号の中にある、利用者にとって迷惑なワン切り電話番号を利用者に非通にすることが可能な携帯電話機、利用者情報管理装置、ワン切り電話着信防止システム、ワン切り電話着信防止方法、ワン切り電話着信防止プログラムを提供することを目的とする。
【００１１】
また、本発明は、上述した問題点に鑑み、携帯電話の利用者がワン切り電話番号とする電話番号の着信を防止するとともに、利用者の例えば友人、親類等の一定のグループに関してワン切り電話の着信を防止するという決め細かいサービスの提供可能な利用者にとって迷惑なワン切り電話番号を利用者に非通にすることが可能な携帯電話機、利用者情報管理装置、ワン切り電話着信防止システム、ワン切り電話着信防止方法、ワン切り電話着信防止プログラムを提供することを目的とする。
【００１２】
また、本発明は、ワン切り電話番号であるか否かの判定に要する時間を短縮可能な利用者にとって迷惑なワン切り電話番号を利用者に非通にすることが可能な携帯電話機、利用者情報管理装置、ワン切り電話着信防止システム、ワン切り電話着信防止方法、ワン切り電話着信防止プログラムを提供することを目的とする。
【課題を解決するための手段】
【００１３】
本発明の携帯電話機は、着信があったときに携帯電話機を呼び出した電話機の電話番号である発信側電話番号を取得する機能を備えている。そして、着信通知手段は、発信側電話番号がワン切り電話番号記憶手段に登録されていた場合には、利用者に対する着信通知を着信履歴への記録を含めて一切行わない（請求項１ないし請求項５）。
ここで、本明細書では「ワン切り電話」は、「着信側の電話機が着信信号を受信してから短時間のうちに発信側が回線を切断する着信側の利用者にとって迷惑な電話の呼び出し」という意味で用い、１コールで回線を切断するものに限定されない。また、「ワン切り電話番号」は、「ワン切り電話の発信側の電話機の電話番号」という意味で用いる。
【００１４】
上記携帯電話機によれば、携帯電話機が独自に収集したワン切り電話番号を記憶したワン切り電話番号記憶部に、発信側電話番号が登録されている場合には、着信通知手段が着信通知を一切行わない。
そのため、ワン切り電話番号を利用者に非通とすることできる。
また、ワン切り電話番号記憶部に記憶されているワン切り電話番号は、携帯電話機が収集したものであるから、各利用者に合わせたきめ細かいサービスを提供することができる。
さらに、ワン切り電話番号記憶部に記憶されているワン切り電話番号は、携帯電話機が収集したものであるから、記憶されているワン切り電話番号の数は少ない。そのため、発信側電話番号がワン切り電話番号であるか否かの判定に要する時間を短縮することができる。
【００１５】
上記携帯電話機において、受信時間を計測する計時手段と、受信時間があらかじめ定められた所定時間未満である場合に、発信側電話番号をワン切り電話番号記憶手段に登録する登録手段を備えるとともに、受信時間が所定時間未満である場合に、着信通知手段は着信通知を行わないようにしてもよい（請求項２）。
このようにすれば、ワン切り電話番号から始めて着信があった場合にも、ワン切り電話番号を利用者に対して非通とすることができる。
また、発信先の電話番号がワン切り電話番号であるか否かを判定する基準をコール周期等とは関係なく定めることができるから、着信の通知に音楽（いわゆる着メロ）や振動を使用している場合でも、判定基準を適切に定めることができる。
【００１６】
上記携帯電話機において、携帯電話の利用者により構成されるグループ毎に定義された判定電話番号が登録された判定電話番号記憶手段を備え、発信元電話番号が判定電話番号記憶手段に登録されている場合には、ワン切り電話番号登録手段は作動しないようにし、記着信通知手段は、音声または振動による着信通知を行わないようにしてもよい（請求項３）。
ここで、本明細書では「判定電話番号」は、「ワン切り電話番号と判定されるべき呼び出しを行った場合でも例外的にワン切り電話番号とは判定されない電話番号」という意味で使用し、たとえば、携帯電話機の利用者の家族、友人が用いている電話番号が該当する。
【００１７】
このようにすれば、利用者の家族等の電話番号を判定電話番号記憶部に登録しておくことにより、家族等が、通常であればワン切り電話と判定されるような呼び出しを誤ってしてしまった場合に、家族等の電話番号が、ワン切り電話番号記憶部に登録されることがなくなる。また、利用者は着信があったことを着信履歴を参照して知ることができる。
【００１８】
上記携帯電話機において、判定電話番号を通信回線を介して接続可能なデータベースから取得し、取得した判定電話番号を判定電話番号記憶手段に登録する判定電話番号登録手段を備えるようにしてもよい（請求項４）。
このようにすれば、判定電話番号を複数のユーザで共有することができる。
【００１９】
上記携帯電話機において、ワン切り電話番号記憶手段に登録されているワン切り電話番号と判定電話番号記憶手段に登録されている判定電話番号を、携帯電話機の利用者が属するグループの構成員がアクセスすることができるデータベースに登録するデータベース登録手段を備えるようにしてもよい（請求項５）。
このようにすれば、家族等のグループ毎に複数の利用者の複数の携帯電話機に記憶されているワン切り電話番号と判定電話番号を集約して、グループの構成員が共有できるデータベースを生成することができる。
【００２０】
本発明の利用者情報管理装置は、発信側電話番号を着信側の携帯電話機に通知することができる通信仲介手段を備えている。利用者情報記憶手段には携帯電話機の利用者から成るグループの識別番号とグループの構成員の使用する携帯電話機の電話機の電話番号が、グループ別ワン切り電話番号記憶手段にはグループ毎に収集されたワン切り電話番号が記憶されている。
通信仲介手段は、着信信号があったときに、まず、着信側電話番号をキーとして利用者情報記憶手段を検索し着信側電話番号を使用する利用者が属するグループのグループ識別情報を取得し、つぎに、このグループ識別情報に対応するグループ別ワン切り電話番号記憶手段を検索し発信側電話番号が登録されているか否かを判定する。登録されていた場合には、通信仲介手段は、着信信号を着信側携帯電話機に送信する等の通信仲介を行わない（請求項６ないし請求項１３）。
【００２１】
上記利用者情報管理装置によれば、発信者側電話番号がグループ別ワン切り電話番号記憶手段に登録されている場合には、通信仲介が行われない。そのため、ワン切り電話番号を利用者に非通とすることできる。
また、グループ別ワン切り電話番号記憶部に記憶されているワン切り電話番号は、グループ別に収集されたものでそのグループの構成員にのみ適用されるから、グループの要求に合わせたきめ細かいサービスを提供することができる。
さらに、グループ別ワン切り電話番号記憶手段に記憶されているワン切り電話番号は、グループ毎に収集したものであるから、記憶されているワン切り電話番号の数は少ない。そのため、発信側電話番号がワン切り電話番号であるか否かの判定に要する時間を短縮することができる。
【００２２】
上記利用者情報管理装置において、携帯電話機からの登録要求に応じて、携帯電話機から送信された携帯電話機が収集したワン切り電話番号を携帯電話の利用者が属するグループに対応するグループ別ワン切り電話番号記憶手段に登録する管理装置側登録手段を備えるようにしてもよい（請求項７）。
このようにすれば、同じグループに属する携帯電話機が収集したワン切り電話番号をグループ別ワン切り電話番号記憶手段に集約し、グループの構成員に対して適用することができる。
【００２３】
上記利用者情報管理装置において、管理装置側登録手段は、グループ別ワン切り電話番号記憶手段のデータ量、たとえば登録件数が予め定められた閾値を超えた場合に、グループ別ワン切り電話番号記憶手段に登録されているワン切り電話番号の中で最も長期間アクセスのないものに携帯電話機から受信したワン切り電話番号を上書きすることにより登録を行うようにしてもよい（請求項８）。
このようにすれば、グループ別ワン切り電話番号記憶手段が過度に大きくなり発信側電話番号がワン切り電話番号か否かを判定するのに要する時間が長くなるのを防止することができる。
【００２４】
上記利用者情報管理装置において、グループ毎に判定電話番号を記憶するグループ別判定電話番号記憶手段と、携帯電話機からの登録要求に応じて、携帯電話機から送信された判定電話番号を携帯電話の利用者が属するグループに対応するグループ別判定電話番号記憶手段に登録する管理装置側判定電話番号登録手段と、携帯電話機からの送信要求に応じて、携帯電話の利用者が属するグループに対応するグループ別判定電話番号記憶手段に登録された判定電話番号を携帯電話機に送信する判定電話番号送信手段とを備えるようにしてもよい（請求項９）。
このようにすれば、判定電話番号を同一のグループに属する利用者の間で共有することができる。また、利用者が携帯電話機を買い換える場合に、グループ別判定電話番号記憶手段をデータの一時的保管場所として使用し、古い携帯電話機で使用していた判定電話番号を新しい携帯電話機に簡単に移行することができる。
【００２５】
上記利用者情報管理装置において、判定電話番号送信手段により送信された回数が予め定められた制限回数を超えた判定用電話番号をグループ別判定電話番号記憶手段から削除する判定用電話番号削除手段を備えるようにしてもよい（請求１０）。
このようにすれば、グループの構成員以外の者による不正な判定電話番号の取得を防止することができる。
【００２６】
上記利用者情報管理装置において、利用者情報記憶手段には、携帯電話機の認証情報が携帯電話機の電話番号と対応付けて登録され、携帯電話機から送信された認証情報と利用者情報記憶手段に登録された認証情報を照合して登録要求および送信要求に対する認証を行う認証手段を備えるようにしてもよい（請求項１１）。
このようにすれば、グループの構成員以外の者によるグループ別ワン切り電話番号記憶手段とグループ別判定電話番号記憶手段への情報の登録および読み出しを防止することができる。
【００２７】
上記利用者情報管理装置において、認証情報は、携帯電話機の製造番号と携帯電話機毎に設定されたパスワードを含むようにしてもよい（請求項１２）。
このようにすれば、通常自動的に送信され詐称しにくい製造番号と、携帯電話機に固有のパスワードを認証に用いることができるから、認証強度を高めることができる。
【００２８】
上記利用者情報管理装置において、携帯電話機からの更新要求に応じ、利用者情報記憶手段に格納されている情報の追加または削除または変更をして利用者情報記憶手段をする更新手段を備え、認証手段は更新要求に対する認証を行い、認証情報は、ワン切り電話番号と判定電話番号の登録および読み出し用のパスワードとは別の更新用パスワードを含み、利用者情報記憶手段には更新用パスワードがグループに属する利用者の電話番号と対応付けされて登録されているようにしてもよい（請求項１３）。
このようにすれば、グループの構成員が携帯電話機を使用してグループに新たな構成員の追加と削除をしたり、すでに登録されている構成員に関する情報の編集を行うことができる。このような編集は、編集用のパスワードを用いて認証されるから編集権限を持たない者による不正な編集を防止することがきる。
【００２９】
本発明のワン切り電話着信防止システムは、着信があったときに発信側電話番号を取得する機能を備えた携帯電話機と、発信側の電話機と着信側の携帯電話機との間の通信を仲介し携帯電話機に発信側電話番号を通知する通信仲介手段を備え、携帯電話の利用者により構成されるグループに関する情報を管理する利用者情報管理装置を備えている。
携帯電話機は、利用者情報管理装置から発信側電話番号を取得する発信側電話番号取得手段と、携帯電話機により収集されたワン切り電話番号が登録されたワン切り電話番号記憶手段と、利用者に着信があったことを通知する着信通知手段とを備え、着信通知手段は、発信側電話番号がワン切り電話番号記憶手段に登録されている場合は着信通知を行わない。  利用者情報管理装置は、グループを識別するグループ識別情報とグループに属する利用者の携帯電話機の電話番号を対応付けて登録した利用者情報記憶手段と、グループ毎に収集されたワン切り電話番号が登録されたグループ別ワン切り電話番号記憶手段とを備えている。
通信仲介手段は、利用者情報記憶手段を検索して着信側の携帯電話機の属するグループのグループ識別情報を取得し、このグループ識別情報に対応するグループ別ワン切り電話番号記憶手段に発信側電話番号が登録されている場合には、着信側の携帯電話機に着信通知を行わない（請求項１４ないし請求項２１）。
【００３０】
上記ワン切り電話着信防止システムによれば、発信者側電話番号がグループ別ワン切り電話番号記憶手段に登録されている場合には、通信仲介が行われない。着信側電話番号がグループ別ワン切り電話番号記憶手段に登録されておらず携帯電話機に通知された場合でも、携帯電話機のワン切り電話番号登録手段に登録されている場合は、着信通知手段は利用者に対して着信通知を行わない。そのため、ワン切り電話番号を利用者に非通とすることできる。
また、グループ別ワン切り電話番号記憶部に記憶されているワン切り電話番号は、グループ別に収集されたものでそのグループの構成員にのみ適用され、ワン切り電話番号記憶部に記憶されているワン切り電話番号は、携帯電話機が収集したものでその携帯電話機にのみ適用されるから、グループおよび個人の要求に合わせたきめ細かいサービスを提供することができる。
さらに、ワン切り電話番号記憶手段とグループ別ワン切り電話番号記憶手段に記憶されているワン切り電話番号は、グループ毎に収集したものであるから、記憶されているワン切り電話番号の数は少ない。そのため、発信側電話番号がワン切り電話番号であるか否かの判定に要する時間を短縮することができる。
【００３１】
上記ワン切り電話着信防止システムにおいて、携帯電話機は、着信があってから発信側により通信が切断されるまでの時間である受信時間を計測する計時手段と、受信時間があらかじめ定められた所定時間未満である場合に、発信側電話番号をワン切り電話番号記憶手段に登録する登録手段と、ワン切り電話番号記憶手段に登録されているワン切り電話番号を利用者情報管理装置に送信し、携帯電話機の利用者が属するグループに対応するグループ別ワン切り電話番号記憶手段への登録を要求する登録要求手段を備え、受信時間が所定時間未満である場合に、着信通知手段は着信通知を行わないようにし、利用者情報管理装置は、携帯電話機からの登録要求に応じて、携帯電話機から送信されたワン切り電話番号を携帯電話の利用者が属するグループに対応するグループ別ワン切り電話番号記憶手段に登録する管理装置側登録手段を備えるようにしてもよい（請求項１５）。
【００３２】
このようにすれば、携帯電話機は、ワン切り電話番号から初めて着信があった場合にも、ワン切り電話番号を利用者に対して非通とすることができる。また、発信先の電話番号がワン切り電話番号であるか否かを判定する基準をコール周期等とは関係なく定めることができるから、着信の通知に音楽（いわゆる着メロ）や振動を使用している場合でも、判定基準を適切に定めることができる。
さらに、家族等のグループ毎に複数の利用者の複数の携帯電話機に記憶されているワン切り電話番号をグループ別ワン切り電話番号記憶手段に集約して、これをグループの構成員が共有することができる。
【００３３】
上記ワン切り電話着信防止システムにおいて、管理装置側登録手段は、グループ別ワン切り電話番号記憶手段の登録量が予め定められた閾値を超えた場合に、グループ別ワン切り電話番号記憶手段に登録されているワン切り電話番号の中で最も長期間アクセスのないものに携帯電話機から受信したワン切り電話番号を上書きすることにより登録を行うようにしてもよい（請求項１６）。
このようにすれば、グループ別ワン切り電話番号記憶手段が過度に大きくなり発信側電話番号がワン切り電話番号か否かを判定するのに要する時間が長くなるのを防止することができる。
【００３４】
上記ワン切り電話着信防止システムにおいて、利用者情報管理装置は、グループ毎に判定電話番号を記憶するグループ別判定電話番号記憶手段と、携帯電話機からの登録要求に応じて、携帯電話機から送信された判定電話番号を携帯電話の利用者が属するグループに対応するグループ別判定電話番号記憶手段に登録する管理装置側判定電話番号登録手段と、
携帯電話機からの送信要求に応じて、携帯電話の利用者が属するグループに対応するグループ別判定電話番号記憶手段に登録された判定電話番号を携帯電話機に送信する判定電話番号送信手段とを備えるようにし、携帯電話機は、グループごとに定義された判定電話番号が登録された判定電話番号記憶手段と、判定電話番号記憶手段に登録されている判定電話番号を利用者情報管理装置に送信し、携帯電話機の利用者が属するグループに対応するグループ別判定電話番号記憶手段への登録を要求する判定電話番号登録要求手段と、利用者情報管理装置に携帯電話機の利用者が属するグループに対応するグループ別判定電話番号記憶手段に登録されている判定電話番号の送信を要求し、この要求に応じて送信された判定電話番号を受信し判定電話番号記憶手段に登録する判定電話番号登録手段とを備えるようにし、発信元電話番号が判定電話番号記憶手段に登録されている場合には、ワン切り電話番号登録手段は作動しないようにし、着信通知手段は、音声または振動による着信通知を行わないようにしてもよい（請求項１７）。
【００３５】
このようにすれば、利用者の家族等の電話番号を判定電話番号記憶部に登録しておくことにより、家族等が、通常であればワン切り電話と判定されるような呼び出しを誤ってしてしまった場合に、家族等の電話番号が、ワン切り電話番号記憶部に登録されることがなくなる。また、利用者は着信があったことを着信履歴を参照して知ることができる。
また、判定電話番号を同一のグループに属する利用者の間で共有することができる。さらに、利用者が携帯電話機を買い換える場合に、グループ別判定電話番号記憶手段をデータの一時的保管場所として使用し、古い携帯電話機で使用していた判定電話番号を新しい携帯電話機に簡単に移行することができる。
【００３６】
上記ワン切り電話着信防止システムにおいて、判定電話番号送信手段により送信された回数が予め定められた制限回数を超えた判定電話番号をグループ別判定電話番号登録手段から削除する削除手段を備えるようにしてもよい（請求項１８）。
このようにすれば、グループの構成員以外の者による不正な判定電話番号の取得を防止することができる。
【００３７】
上記ワン切り電話着信防止システムにおいて、利用者情報記憶手段には、携帯電話機の認証情報が携帯電話機の電話番号と対応付けて登録するようにし、利用者情報管理装置は、携帯電話機から送信された認証情報と利用者情報記憶手段に登録された認証情報を照合して登録要求および送信要求に対する認証を行う認証手段を備えるようにしてもよい（請求項１９）。
このようにすれば、グループの構成員以外の者によるグループ別ワン切り電話番号記憶手段とグループ別判定電話番号記憶手段への情報の登録および読み出しを防止することができる。
【００３８】
上記ワン切り電話着信防止システムにおいて、認証情報は、携帯電話機の製造番号と携帯電話機毎に設定されたパスワードを含むようにしてもよい（請求項２０）。
このようにすれば、通常自動的に送信され詐称しにくい製造番号と、携帯電話機に固有のパスワードを認証に用いることができるから、認証強度を高めることができる。
【００３９】
上記ワン切り電話着信防止システムにおいて、利用者情報管理装置は、携帯電話機からの更新要求に応じ、利用者情報記憶手段に格納されている情報の追加または削除または変更をし利用者情報記憶手段を更新する更新手段を備えるようにし、認証手段は編集要求に対する認証を行うようにし、認証情報は、パスワードとは別の更新用パスワードを含むようにし、利用者情報記憶手段には更新用パスワードが電話番号と対応付けされて登録するようにしてもよい（請求項２１）。
このようにすれば、グループの構成員が携帯電話機を使用してグループに新たな構成員の追加と削除をしたり、すでに登録されている構成員に関する情報の編集を行うことができる。このような編集は、編集用のパスワードを用いて認証されるから編集権限を持たない者による不正な編集を防止することがきる。
【００４０】
本発明のワン切り電話着信防止方法は、着信側の携帯電話機と発信側の電話機との通信経路上で発信側の電話機の電話番号である発信側電話番号を取得し、発信元電話番号が、携帯電話機の利用者からなるグループ毎に収集されたワン切り電話番号を記憶するグループ別ワン切り電話番号記憶手段に登録されているか否かを判定し、発信元電話番号がグループ別ワン切り電話番号記憶手段に登録されていないと判定された場合にのみ、発信元電話番号を着信側携帯電話機に通知する（請求項２２）。
【００４１】
上記ワン切り電話着信防止方法によれば、発信者側電話番号がグループ別ワン切り電話番号記憶手段に登録されている場合には、携帯電話機に発信元電話番号を通知しない。そのため、ワン切り電話番号を利用者に非通とすることできる。
また、グループ別ワン切り電話番号記憶部に記憶されているワン切り電話番号は、グループ別に収集されたもので、そのグループの構成員にのみ適用されるから、グループの要求に合わせたきめ細かいサービスを提供することができる。
さらに、グループ別ワン切り電話番号記憶手段に記憶されているワン切り電話番号は、グループ毎に収集したものであるから、記憶されているワン切り電話番号の数は少ない。そのため、発信側電話番号がワン切り電話番号であるか否かの判定に要する時間を短縮することができる。
【００４２】
本発明のワン切り電話着信防止プログラムは、コンピュータに、着信側の携帯電話機と発信側の電話機との通信経路上で発信側の電話機の電話番号である発信側電話番号を取得する発信側電話番号取得機能と、発信元電話番号が、携帯電話機の利用者からなるグループ毎に収集されたワン切り電話番号を記憶するグループ別ワン切り電話番号記憶手段に登録されているか否かを判定する判定機能と、この判定機能が発信元電話番号がグループ別ワン切り電話番号記憶手段に登録されていないと判定した場合にのみ作動し、発信元電話番号を着信側携帯電話機に通知する発信元電話番号通知機能とを実行させる（請求項２３）。
【００４３】
上記ワン切り電話着信防止プログラムによれば、発信者側電話番号がグループ別ワン切り電話番号記憶手段に登録されている場合には、携帯電話機に発信元電話番号を通知しない。そのため、ワン切り電話番号を利用者に非通とすることできる。
また、グループ別ワン切り電話番号記憶部に記憶されているワン切り電話番号は、グループ別に収集されたもので、そのグループの構成員にのみ適用されるから、グループの要求に合わせたきめ細かいサービスを提供することができる。
さらに、グループ別ワン切り電話番号記憶手段に記憶されているワン切り電話番号は、グループ毎に収集したものであるから、記憶されているワン切り電話番号の数は少ない。そのため、発信側電話番号がワン切り電話番号であるか否かの判定に要する時間を短縮することができる。
【発明の効果】
【００４４】
以上本発明によれば、次のような効果を有する。
（１）発信番号がワン切り電話番号であるか否かの判断基準を利用者ごとに定め、利用者にとって迷惑なワン切り電話番号を利用者に非通にすることができる。
（２）携帯電話の利用者がワン切り電話番号とする電話番号の着信を防止するとともに、利用者の例えば友人、親類等の一定のグループに関してワン切り電話の着信を防止するという決め細かいサービスを提供することができる。
（３）ワン切り電話番号であるか否かの判定に要する時間を短縮することができる。
【発明を実施するための最良の形態】
【００４５】
次に、本発明を実施するための最良の形態を図面を参照して説明する。
【００４６】
図１は、本発明に係る実施形態のワン切り電話着信防止システムの構成を示すブロック図である。この実施形態のワン切り電話着信防止システムは、利用者の携帯電話（携帯電話機）１０と、交換機４５に接続されている電話局に内にある利用者情報管理装置２０とが通信網４０を介して通信接続され、また、交換機４７に接続されている携帯電話を販売する販売店に設置されている販売店端末３０とが通信接続されている。
【００４７】
携帯電話１０は、図２に示すように、制御部１０１、記憶部１０２、受信部１０３、送信部１０４、音声出力部１０５、音声入力部１０６、表示部１０７、操作部１０８、及びタイマ１０９を備えて構成されている。
【００４８】
制御部１０１は、ＣＰＵ（図示せず）を備え、図３に示すように、通信処理部１０１ａ、判定部１０１ｂ、着信通知部１０１ｃ、特定部１０１ｄ、データ登録部１０１ｅ、及びデータ生成部１０１ｆを有する。これらの構成部分は、ＣＰＵ（図示せず）が記憶部１０２に記憶されている制御プログラムを実行することにより機能する。
【００４９】
通信処理部１０１ａは、実施形態の携帯電話機を通常の携帯電話としての機能を処理するとともに、電話番号を有する着信信号を受信するとタイマ１０９の起動をかける。また、通信処理部１０１ａは、通信を切断させ、処理を終了させる。また、通信処理部１０１ａは、記憶部１０２に有するワーク領域Ｎに１を代入するととともに、必要に応じて１を加算する。
【００５０】
判定部１０１ｂは、利用者情報管理装置２０から交換機４５及び通信網４０を介して送信されてきた電話番号が記述されたワン切り電話データ（後述する）が、ワン切り電話データ登録ファイル１０２ａ（後述する）に登録されているか否かを判定する。
【００５１】
着信通知部（着信通知手段）１０１ｃは、判定部１０１ｂにより、利用者情報管理装置２０から送信されてきた電話番号が記述されたワン切り電話データが、ワン切り電話データ登録ファイル１０２ａに登録されていると判定された場合には、着信があったことを非通知にし、一方、ワン切り電話データ登録ファイル１０２ａに登録されていないと判定された場合には、着信があったことを表示部１０７に表示して利用者にその旨を通知する。
【００５２】
特定部１０１ｄは、利用者情報管理装置２０から送信されてきた電話番号が記述されたワン切り電話データが、ワン切り電話データ登録ファイル１０２ａに登録されていないと判定され、かつ、タイマ１０９により計時された着信した電話番号を有する着信信号の受信時間が所定時間未満で、かつ、この電話番号が記述された判定電話番号データが判定電話番号データ登録ファイル１０２ｂに登録されていない場合には、この電話番号をワン切り電話データ登録ファイル１０２ａに登録させるワン切り電話番号であると特定する。
【００５３】
データ登録部（登録手段、判定電話番号登録手段）１０１ｅは、特定部１０１ｄにより特定された電話番号が記述されたワン切り電話データを、携帯電話１０の利用者に着信があったことを通知せずに、ワン切り電話データ登録ファイル１０１ａに登録する。また、データ登録部１０１ｅは、利用者情報管理装置２０から送信されてきた判定電話番号データを判定電話番号データ登録ファイル１０２ｂに登録する。
【００５４】
データ生成部１０１ｆは、判定部１０１ｂによりワン切り電話番号と判定された電話番号について、ワン切り電話データ登録ファイル１０２ａに登録するためのワン切り電話データを生成する。また、データ生成部１０１ｆは、電話番号等データ登録ＤＢ２０２ｃから取得した電話番号等データから判定電話番号データ登録ファイル１０２ｂに登録する判定電話番号データを生成する。
【００５５】
また、データ生成部１０１ｆは、受信した電話番号等データ生成用のデータから電話番号等データ登録ＤＢ２０２ｃに追加登録するための電話番号等データを生成する。また、データ生成部１０１ｆは、操作部１０８により入力された、電話番号等データを削除するのに必要となる情報、すなわち、グループ識別情報、電話番号、及び登録した名前が記述された、電話番号等データ記憶手段２０２ｃから削除する電話番号等データを指定する削除データを生成する。
【００５６】
また、データ生成部１０１ｆは、電話番号等データを変更するのに必要となる情報、すなわち、グループ識別情報、グループ内での関係、電話番号、本人の名前、メールアドレス等から、電話番号等データ記憶手段２０２ｃ中の電話番号等データを変更するための電話番号等更新データを生成する。
【００５７】
メッセージ生成部１０１ｇは、判定部１０１ｂにより、着信した電話番号がワン切り電話データ登録ファイル１０２ａに登録されていると判定された場合には「登録されている電話である」または「今、出ることが出来ない」というメッセージを生成する。
【００５８】
図２に示す記憶部１０２は、ＲＯＭ、ＲＡＭ、フラッシュメモリ等の記憶装置からなり、制御部１０１が実行する制御プログラムを記憶するとともに、ワン切り電話データ登録ファイル１０２ａ、及び、判定電話番号データ登録ファイル１０２ｂを有している。
【００５９】
ワン切り電話データ登録ファイル（ワン切り電話番号記憶手段）１０２ａは、ワン切り電話番号が記述されたワン切り電話データを記憶する。ワン切り電話データは、図４（ａ）に示すように、Ｎｏ、ワン切り電話が着信した年月日、その着信した時刻、その登録された電話番号等の項目を有する。
【００６０】
判定電話番号データ登録ファイル（判定電話番号記憶手段）１０２ｂは、電話番号を含む着信信号の受信時間が所定時間未満の電話の電話番号であっても、この電話番号をワン切り電話番号と判定しない電話番号が記述された判定電話番号データを記憶する。この判定電話番号データは、図４（ｂ）に示すように、利用者の携帯電話に通話する人のグループ内での関係、登録した電話番号、登録した名前、メールアドレス等の項目を有する。
【００６１】
受信部１０３は、利用者情報管理装置から電話番号を受信する。また、受信部１０３は、ワン切り電話番号等データ登録ＤＢ２０２ｂまたは電話番号等データ登録ＤＢ２０２ｃとの接続を不許可とする旨のメッセージや、接続が許可された場合には、パスワードの入力の要求する旨のメッセージを受信する。また、受信部１０３は、ワン切り電話番号等データ登録ＤＢ２０２ｂまたは電話番号等データ登録ＤＢ２０２ｃにデータの登録、追加登録、または変更を不許可とする旨のメッセージや、ワン切り電話番号等データ登録ＤＢ２０２ｂまたは電話番号等データ登録ＤＢ２０２ｃにデータの登録、追加登録、または変更を登録を許可する旨のメッセージを受信する。
【００６２】
送信部１０４（データベース登録手段、登録要求手段、判定電話番号登録要求手段）は、この実施形態のワン切り電話着信防止システムを実行する際に、利用者情報管理装置２０に送信する必要があるデータ（後述する）、メッセージ（後述する）等を利用者情報管理装置２０に送信する。また、送信部１０４は、判定部１０１ｂにより、着信した電話番号がワン切り電話番号であると判定されると、相手の携帯電話等に「登録されている電話番号」または「今、出ることが出来ない」というメッセージを送信する。
【００６３】
音声出力部１０５は、小型のスピーカからなり、相手の携帯電話の音声を出力する。音声入力部１０６は、小型のマイクからなり相手の携帯電話に通話する音声を入力する。表示部１０７は、液晶表示装置からなり、送信されてきた文字、画像等や操作内容等を表示する。操作部１０８は、携帯電話の機能を実行させる情報を入力する、電源キー、実行キー、テンキー等のキーからなる。タイマ（計時手段）１０９は、利用者情報管理装置２０から通信網４０を介して送信されてきた電話番号を有する着信信号を受信すると同時に、この着信信号の受信した時間を計時する。
【００６４】
図１に示す利用者情報管理装置２０は、図５に示すように、制御部２０１、記憶部２０２、送受信部２０３を備えて構成されている。
【００６５】
制御部２０１は、ＣＰＵ（図示せず）を備え、図６に示すように、識別情報特定部２０１ａ、判定部２０１ｂ、データ登録部２０１ｃ、データ追加登録部２０１ｄ、データ削除部２０１ｅ、データ更新部２０１ｆ、データ生成部２０１ｇ、内部処理部２０１ｈ、及びメッセージ生成部２０１ｉを有する。これらの構成部分は、ＣＰＵ（図示せず）が記憶部１０２に記憶されている制御プログラムを実行することにより機能する。
【００６６】
識別情報特定部２０１ａは、電話番号等データ登録ＤＢ２０２ｃに記憶されている電話番号等データを参照して、携帯電話１０に送信する電話番号のグループ識別情報を特定する。
【００６７】
判定部２０１ｂは、識別情報特定部２０１ａにより特定されたグループ識別情報及び携帯電話に送信する電話番号を記述するワン切り電話番号等データが、ワン切り電話番号等データ登録ＤＢ２０２ｂに登録されているか否かを判定する。
【００６８】
判定部２０１ｂは、携帯電話１０から受信したワン切り接続許可情報が、許可情報等データ登録ＤＢ２０２ａに登録されている場合には、ワン切り電話番号データ記憶手段に接続を許可するものと判定し、一方、登録されていない場合には、当該ワン切り電話番号データ記憶手段との接続を不許可にするものと判定する。
【００６９】
判定部（認証手段）２０１ｂは、携帯電話１０からのワン切り電話番号の登録要求、判定電話番号の登録要求と送信要求、利用者情報の更新（追加、削除、変更）要求に対する認証を行う。
判定部２０１ｂは、携帯電話１０から送信された認証情報から製造番号とパスワード（利用者情報の更新要求の場合は特別パスワード）を取得する。判定部２０１ｂは、電話番号をキーとして許可情報等データ登録ＤＢを検索し、携帯電話１０から通知された電話番号に対応する製造番号とパスワードを取得する。この製造番号が受信した製造番号と一致する場合には、携帯電話１０に対して、許可情報等データ登録ＤＢ２０２ａまたはワン切り電話番号等データ登録ＤＢ２０２ｂまたは電話番号等データ登録ＤＢ２０２への接続を許可する。
判定部２０１ｂは、認証情報から取得したパスワードと許可情報等データ登録ＤＢ２０２ａから取得したパスワードが一致した場合には、携帯端末１０に対して、要求されたデータベース操作を許可する。特別パスワード（更新用パスワード）は、パスワードとは異なるものを設定し、また、グループのメンバーの中で、電話番号等データ登録ＤＢ２０２ａの更新を許可された者にだけ設定する。
【００７０】
データ登録部（管理装置側登録手段、管理装置側判定電話番号登録手段）２０１ｃは、携帯電話１０から受信したすべてのワン切り電話データについてのワン切り電話番号等データをワン切り電話番号等データ登録ＤＢ２０２ｂに登録する（ワン切り電話番号等データ登録手段）。また、データ登録部２０１ｃは、前記携帯電話から受信したすべての判定電話番号データについての電話番号等データを電話番号等データ登録ＤＢ２０２ｃに登録する。
【００７１】
データ追加登録部２０１ｄは、携帯電話１０から受信した追加登録する電話番号等データを電話番号等データ登録ＤＢ２０２ｃに追加登録する。
【００７２】
データ削除部２０１ｅは、携帯電話１０から受信した削除データに有するグループ識別情報及び電話番号が記述されている電話番号等データを、電話番号等データ登録ＤＢ２０２ｃから削除する。
【００７３】
データ更新部２０１ｆは、電話番号等データ登録ＤＢ２０２ａに記憶されている電話番号等データのうち、携帯電話１０から受信した更新用の電話番号等データ中のグループ識別情報及び電話番号が記述されている電話番号等データを、この更新電話番号データに更新する。
【００７４】
データ生成部２０１ｇは、送受信部２０３により判定電話番号データの取得要求の許可が携帯電話１０に送信されたのち、すべての電話番号等データについてこの電話番号等データから判定電話番号データを生成する。
【００７５】
内部処理部２０１ｈは、携帯電話１０から受信したデータ（例えば、ワン切り電話データ、判定電話番号データ）を記憶部２０２のワーク領域（図示せず）に一時記憶したのち、処理を終了させる。
【００７６】
メッセージ生成部２０１ｉは、この実施形態のワン切り電話着信防止システムを実行するに際して必要となるメッセージを生成する。例えば、判定部１０１ｂにより、着信した電話番号がワン切り電話データ登録ファイル１０２ａに登録されていると判定された場合には「登録されている電話である」または「今、出ることが出来ない」というメッセージを生成する。また、メッセージ生成部２０１ｉは、判定部２０１ｂにより、受信したパスワードが許可情報等データ登録ＤＢ２０２ａに登録されていないと判定された場合には、登録を不許可とする旨のメッセージを生成し、一方、判定部２０１ｂにより、登録されていると判定した場合には、登録を許可する旨のメッセージを生成する。
【００７７】
図５に示す記憶部２０２は、ＲＯＭ、ＲＡＭ、ハードディスク等の記憶装置からなり、制御部１０１が実行する制御プログラム（図示せず）を記憶するとともに、許可情報等データ登録ＤＢ２０２ａ、ワン切り電話番号等データ登録ＤＢ２０２ｂ、及び電話番号等データ登録ＤＢ２０２ｃを有している。
【００７８】
許可情報等データ登録ＤＢ（利用者情報記憶手段）２０２ａは、ワン切り電話番号等登録ＤＢ２０２ｂ、及び電話番号等データ登録ＤＢ２０２にアクセスを許可するための許可情報データを記憶している。許可情報データは、図７（ａ）に示すように、Ｎｏ、電話機の製造番号、アクセスできる電話番号、データ登録・取得のためのパスワード、メンバーの追加・削除するための特別のパスワード、グループ識別情報等の項目を有する。
【００７９】
ワン切り電話番号等データ登録（グループ別ワン切り電話番号記憶手段）ＤＢ２０２ｂは、利用者情報管理装置２０を用いてワン切り電話の着信を防止するためのワン切り電話番号等データを記憶している。このワン切り電話番号等データは、図７（ｂ）に示すように、Ｎｏ、ワン切りが着信した年月日、その着信した時刻、その登録された電話番号等の項目を有する。
【００８０】
電話番号等データ登録ＤＢ（グループ別判定電話番号記憶手段）２０２ｃは、各利用者が実際に利用している電話番号に関する情報であって、ワン切り電話であるか否かを判定するための電話番号等データが記憶されている。この電話番号等データは、図７（ｃ）に示すように、Ｎｏ、グループの種類、登録した電話番号、登録した名前、メールアドレス等の項目を有する。
【００８１】
送受信部（判定電話番号送信手段）２０３は、メッセージ生成部２０１ｉから入力された「登録されている電話である」または「今、出ることが出来ない」というメッセージをワン切り電話の送信者の携帯電話等に送信する。また、送受信部２０３は、着信した携帯電話１０の電話番号を交換機４５及び通信網４０を介して携帯電話１０に送信する。また、送受信部２０３は、判定部２０１ｂにより、ワン切り電話番号データ登録ＤＢ２０２ｂに接続を許可するものと判定された場合には、接続許可を携帯電話１０に送信し、一方、ワン切り電話番号データ登録ＤＢ２０２ｂとの接続を不許可にするものと判定された場合には、接続の不許可を携帯電話１０に送信する。
【００８２】
送受信部２０３は、判定部２０１により、ワン切り電話データをワン切り電話番号等データ登録ＤＢ２０２ｂに登録することを許可するものと判定した場合には、ワン切り電話データをワン切り電話番号等データ登録ＤＢ２０２ｂに登録する許可を携帯電話１０に送信し、一方、不許可するものと判定した場合には、ワン切り電話データをワン切り電話番号等データ登録ＤＢ２０２ｂに登録することの不許可を携帯電話１０に送信する。
【００８３】
送受信部２０３は、判定部２０１ｂにより、電話番号等データ登録ＤＢ２０２ｃに接続を許可するものと判定された場合には、接続許可を携帯電話１０に送信し、一方、電話番号等データ記憶登録ＤＢ２０２ｃとの接続を不許可にするものと判定した場合には、接続の不許可を携帯電話１０に送信する。
【００８４】
また、送受信部２０３は、判定部２０１ｂにより、判定電話番号データを電話番号等データ登録ＤＢ２０２ｃ段に登録することを許可するものと判定された場合には、判定電話番号データを電話番号等データ登録ＤＢ２０２ｃに登録する許可を携帯電話１０に送信し、一方、不許可するものと判定された場合には、判定電話番号データを電話番号等データ登録ＤＢ２０２ｃに登録することの不許可を携帯電話１０に送信する。
【００８５】
送受信部２０３は、判定部２０１ｂにより、電話番号データを電話番号等データ登録ＤＢ２０２ｃから取得することを許可するものと判定された場合には、電話番号等データを電話番号等データ登録ＤＢ２０２ｃから取得する許可を携帯電話１０に送信し、一方、不許可するものと判定された場合には、電話番号等データを電話番号等データ登録ＤＢ２０２ｃから取得することの不許可を携帯電話１０に送信する
【００８６】
また、送受信部２０３は、判定部２０１ｂにより、判定電話番号データを電話番号等データ登録ＤＢ２０２ｃに追加登録することを許可するものと判定された場合には、判定電話番号データを電話番号等データ登録ＤＢ２０２ｃに追加登録する許可を携帯電話１０に送信し、一方、不許可するものと判定された場合には、判定電話番号データを電話番号等データ登録ＤＢ２０２ｃに追加登録することの不許可を携帯電話１０に送信する。
【００８７】
また、送受信部２０３は、判定部２０１により、電話番号等データ登録ＤＢ２０２ｃから電話番号等データを削除することを許可するものと判定された場合には、電話番号等データ登録ＤＢ２０２ｃから電話番号データを削除する許可を携帯電話１０に送信し、一方、不許可するものと判定された場合には、電話番号等データ登録ＤＢ２０２ｃから電話番号等データを削除することの不許可を携帯電話１０に送信する。
【００８８】
送受部２０３は、判定部２０１ｂにより、電話番号等データ登録ＤＢ２０２ｃに記憶されている電話番号等データを更新することを許可するものと判定された場合には、電話番号等データ登録ＤＢ２０２ｃに記憶されている電話番号データを更新する許可を携帯電話１０に送信し、一方、不許可するものと判定された場合には、電話番号等データ登録ＤＢ２０２ｃに記憶されている電話番号等データを更新することの不許可を携帯電話１０に送信する。
【００８９】
送受信部２０３は、携帯電話１０に対してパスワード、及び特別パスワードの入力要求を送信し、また、携帯電話１０からパスワード、及び特別パスワードを受信する。
【００９０】
次に、本発明に係る実施形態のワン切電話着信防止システムの動作を説明する。
図８及び図９は、本発明に係るワン切電話着信防止システムを利用する携帯電話に着信が入った場合の動作を示すフローチャートである。利用者情報管理装置２０の送受信部２０３は、交換機４５を介して利用者宛の電話番号（発信側電話番号）を受信すると（ステップ１０）、判定部２０１ｂは、受信した電話番について記憶部２０２に有するワン切り電話番号等データ登録ＤＢ２０２ｂを検索し（ステップ１１）、この電話番号が登録されているか否かを判定する（ステップ１２）。
【００９１】
判定部２０１ｂにより、電話番号がワン切り電話番号等データ登録ＤＢ２０２ｂに登録されていないと判定された場合には（ステップ１２；ＮＯ）、送受信部２０３は、着信者である利用者の携帯電話１０に交換機４５及び通信網４０を介して着信信号を送信する（ステップ１３）。一方、判定部２０１ｂにより、この電話番号が登録されていると判定された場合には（ステップ１２；ＹＥＳ）、メッセージ生成部２０１ｉは、「登録されている電話番号」または「今、出ることが出来ない」というメッセージを生成し、これらのメッセージのいずれかを送受信部２０３に出力する。次に、送受信部２０３は、これらのうちのいずれかのメッセージをワン切り電話の送信者の携帯電話等に送信する（ステップ１４）。その後、内部処理部２０１ｈは、処理を終了させる。このとき、送受信部２０３は、利用者の携帯電話１０に着信信号を送信しない。
【００９２】
利用者の携帯電話１０の受信部１０３が着信信号を受信すると（ステップ２０）、通信処理部１０１ａは、タイマ１０９を起動させる（ステップ２１）。次に、判定部部１０１ｂは、着信した電話番号についてワン切り電話データ登録ファイル１０２ａを検索し（ステップ２２）、着信した電話番号がワン切り電話データ登録ファイル１０２ａに登録されているか否かを判定する（ステップ２３）。判定部１０１ｂは、着信した電話番号がワン切り電話データ登録ファイル１０２ａに登録されていないと判定した場合には（ステップ２３；ＮＯ）、タイマ１０９の計時時間が設定時間以上であるか否かを判定する（ステップ２４）。
【００９３】
判定部１０１ｂにより、タイマ１０９の計時時間が設定時間以上であると判定された場合には（ステップ２４；ＹＥＳ）、送信部１０４は、着信信号に対する応答信号を発信者に送信する。その後、着信通知部１０１ｃは、着信があったことを、音声出力部１０５からの呼び出音、または、マナーモードによる振動を出力し、及び表示部１０７に表示することにより携帯電話１０の利用者に通知する（ステップ２５）。一方、判定部１０１ｂにより、タイマ１０９の計時時間が設定時間未満であると判定された場合には（ステップ２４；ＮＯ）、さらに、判定部１０１ｂは、着信した電話番号について判定電話番号データ登録ファイル１０２ｂを検索し（ステップ２６）、この電話番号が判定電話番号データ登録ファイル１０２ｂに登録されているか否かを判定する（ステップ２７）。
【００９４】
判定部１０１ｂにより、着信した電話番号が判定電話番号データ登録ファイル１０２ｂに登録されていると判定された場合には（ステップ２７；ＹＥＳ）、着信通知部１０１ｃは、呼出し音または振動による通知を行わずに、着信表示を表示部１０７に表示さ（ステップ２８）、通信処理部１０１ａは、動作を終了させる。一方、判定部１０１ｂにより、着信した電話番号が判定電話番号データ登録ファイル１０２ｂに登録されていないと判定された場合には（ステップ２７；ＮＯ）、データ生成部１０１ｆは、この電話番号に該当するワン切り電話データを生成し、データ登録部１０１ｅは、生成したこのデータをワン切り電話データ登録ファイル１０２ａに登録し（ステップ２９）、着信通知部１０１ｃは、呼出し音及び振動なし、並びに着信履歴を表示部１０７に表示させずに、動作を終了させる。
【００９５】
ステップ２３において、判定部１０１ｂにより、着信した電話番号がワン切り電話データ登録ファイル１０２ａに登録されていると判定された場合には（ステップ２３；ＹＥＳ）、メッセージ生成部１０１ｇは、「登録されている電話である」または「今、出ることが出来ない」というメッセージを生成し、これらのメッセージのいずれかを送信部１０４に出力する。送信部１０４は、入力されたメッセージを相手の携帯電話（ワン切り電話相手の携帯電話）に送信し（ステップ２１）、その後、動作を終了する。
【００９６】
図１０及び図１１は、利用者情報管理装置に有するワン切り電話番号等データ登録ＤＢにワン切りデータを登録する際の動作を示すフローチャートである。操作部１０８に設けられている所定のキーが利用者により押下されると、携帯電話１０の送信部１０４は、ワン切り電話番号等データ登録ＤＢ２０２ｂに対する接続要求を通信網４０及び交換機４５を介して利用者情報管理装置２０に送信する（ステップ４０）。
【００９７】
利用者情報管理装置２０の送受信部２０３が、ワン切り電話番号等データ登録ＤＢ２０２ｂに対する接続要求を受信すると（ステップ５０）、判定部２０１ｂは、接続要求してきた電話番号について記憶部２０２に有する許可情報等データ登録ＤＢ２０２ａを検索し、接続要求してきた電話番号が登録され、かつ、この電話番号を有する携帯電話の製造番号がともに許可情報等データ登録ＤＢ２０２ａに登録されているか否かを判定する（ステップ５１）。
【００９８】
判定部２０１により、電話番号及び製造番号うちのいずれかが登録されていないとき、すなわち、許可情報等データ登録ＤＢ２０２ａに接続することができないものと判定された場合には（ステップ５１；ＮＯ）、メッセージ生成部２０１ｉは、接続を不許可とする旨のメッセージを生成し、このメッセージを送受信部２０３に出力する。送受信部２０３は、入力されたこのメッセージを交換機４５及び通信網４０を介して、携帯電話１０に送信する（ステップ５２）。一方、判定部２０１ｂにより、電話番号及び製造番号がともに登録されているとき、すなわち、許可情報等データ登録ＤＢ２０２ａに接続することができるものと判定された場合には（ステップ５１；ＹＥＳ）、メッセージ生成部２０１ｉは、パスワードの入力を要求する旨のメッセージを生成し、このメッセージを送受信部２０３に出力する。送受信部２０３は、入力されたメッセージを交換機４５及び通信網４０を介して、携帯電話１０に送信する（ステップ５３）。
【００９９】
携帯電話１０の受信部１０３により、接続を不許可とする旨のメッセージ及びパスワードの入力の要求する旨のメッセージのいずれかを受信すると、判定部１０１ｂは、受信したメッセージがパスワードの入力を要求するメッセージであるか、または、接続を不許可とする旨メッセージであるかを判定する（ステップ４１）。
【０１００】
判定部１０１ｂにより、受信したメッセージがパスワードの入力を要求する旨のメッセージであると判定された場合には（ステップ４１；パスワード入力要求メッセージ）、送信部１０４は、操作部１０８のキーを操作して利用者が入力したパスワードを、通信網４０及び交換機４５を介して利用者情報管理装置２０に送信する（ステップ４２）。一方、判定部１０１ｂより、受信したメッセージが接続を不許可とする旨のメッセージと判定された場合には（ステップ４１；不許可メッセージ）、ステップ４６に処理を移行する。
【０１０１】
利用者情報管理装置２０の送受信部２０３がパスワードを受信すると（ステップ５４）、判定部２０１ｂは、入力されたパスワードが許可情報等データ登録ＤＢ２０２ａに登録されているか否かを判定する（ステップ５５）。
【０１０２】
判定部２０１ｂにより、受信したパスワードが許可情報等データ登録ＤＢ２０２ａに登録されていないと判定された場合には（ステップ５５；ＮＯ）、メッセージ生成部２０２ｉは、登録を不許可とする旨のメッセージを生成し、このメッセージを送受信部２０３に出力する。その後、送受信部２０３は、入力された登録を不許可とする旨のメッセージを交換機４５及び通信網４０を介して携帯電話１０に送信し（ステップ５６）、ステップ６６に処理を移行する。一方、判定部２０１ｂにより、登録されていると判定した場合には（ステップ５５；ＹＥＳ）、メッセージ生成部２０１ｉは、登録を許可する旨のメッセージを生成し、このメッセージを送受信部２０３に出力する。送受信部２０３は、入力された登録を許可する旨のメッセージを交換機４５及び通信網４０を介して携帯電話１０に送信する（ステップ５７）。
【０１０３】
携帯電話の受信部１０３により、登録を不許可とする旨のメッセージ及び登録を許可する旨のメッセージのいずれかのメッセージを受信すると、判定部１０１ｂは、受信したメッセージが登録を許可する旨のメッセージであるか、または、登録を不許可とする旨のメッセージであるかを判定する（ステップ４３）。
【０１０４】
判定部１０１ｂにより、受信したメッセージが登録を許可する旨のメッセージであると判定された場合には（ステップ４３；登録許可メッセージ）、送信部１０４は、記憶部１０２に有するワン切り電話データ登録ファイル１０２ａに記憶されているワン切り電話データのすべてを逐次、送信部１０３から通信網４０及び交換機４５を介して利用者情報管理装置２０に送信する（ステップ４４）。一方、判定部１０１ｂにより、受信したメッセージが登録が不許可であるメッセージと判定した場合には（ステップ４３；登録不許可メッセージ）、ステップ４６に処理を移行する。
【０１０５】
利用者情報管理装置２０の受信部２０３により、ワン切り電話データを逐次受信すると（ステップ５８）、内部処理部２０１ｈは、受信したワン切り電話データを記憶部２０２のワーク領域（図示せず）に一時記憶させる。その後、判定部２０１ｂは、すべてのワン切り電話データが受信したか否かを判定する（ステップ５９）。
【０１０６】
判定部２０１ｂにより、すべてのワン切り電話データを受信しなかったと判定された場合には（ステップ５９；ＮＯ）、メッセージ生成部２０１ｉは、ワン切り電話データの受信に失敗した旨のメッセージを生成し、このメッセージを送受信部２０３に出力する。送受信部２０３は、受信に失敗した旨のメッセージを交換機４５及び通信網４０を介して携帯電話１０に送信し（ステップ６０）、ステップ６６に処理を移行する。一方、判定部２０１ｂにより、すべてのワン切り電話データを受信したと判定された場合には（ステップ５９；ＹＥＳ）、メッセージ生成部２０１ｉは、ワン切り電話データの受信に成功したと旨のメッセージを生成し、このメッセージを送受信部２０３に出力する。送受信部２０３は、入力された受信に成功した旨のメッセージを交換機４５及び通信網４０を介して携帯電話１０に送信する（ステップ６１）。
【０１０７】
送受信部２０３により、ワン切り電話データの受信に成功した旨のメッセージが携帯電話１０に送信されると、その後、データ生成部２０１ｇは、ワーク領域に記憶されているワン切り電話データのすべてを逐次読み出し、ワン切り電話番号等データ登録ＤＢ２０２ｂに登録するためのワン切り電話番号等データを生成し、生成したワン切り電話番号等データをワーク領域に記憶する（ステップ６２）。その後、判定部２０１ｂは、ワン切り電話番号等データ登録ＤＢ２０２ｂに登録されているワン切り電話番号等データの登録量が一定量以上であるか否かを判定する（ステップ６３）。
【０１０８】
判定部２０１ｂにより、ワン切り電話番号等データ登録ＤＢ２０２ｂに登録されているワン切り電話番号等データの登録量が一定量未満であると判定された場合には（ステップ６３；ＮＯ）、データ登録部２０１ｃは、ワーク領域に記憶されている生成されたワン切り電話番号等データをワン切り電話番号等データ登録ＤＢ２０２に登録する（ステップ６４）。その後、内部処理部２０１ｈは、通信を切断し（ステップ６６）、処理を終了させる。一方、判定部２０１ｂにより、ワン切り電話番号等データの登録量が一定量以上であると判定された場合には（ステップ６３；ＹＥＳ）、データ登録部２０１ｃは、ワン切り電話番号等データ登録ＤＢ２０２ｂに登録されているワン切り電話番号等データのうち、アクセスが古いワン切り電話番号等データの順に、ワーク領域に記憶されている生成したしワン切り電話番号等データで上書登録し（ステップ５４）、ステップ６６に処理を移行する。
【０１０９】
ステップ６０及びステップ６１において、携帯電話１０の受信部１０３により、ワン切り電話データの受信に失敗した旨のメッセージ、及びワン切り電話データの受信に成功した旨のメッセージのいずれかのメッセージを受信すると、判定部１０１ｂは、受信したメッセージがワン切り電話データの受信に成功した旨のメッセージであるか、または、ワン切り電話データの受信に失敗した旨のメッセージであるかを判定する（ステップ４５）。
【０１１０】
判定部１０１ｂにより、受信したメッセージがワン切り電話データの受信に成功した旨のメッセージであると判定された場合には（ステップ４５；受信成功メッセージ）、通信処理部１０１ａは、通信を切断し（ステップ４６）、処理を終了させる。一方、判定部１０１ｂにより、受信したメッセージがワン切り電話データの受信に失敗した旨のメッセージであると判定された場合には（ステップ４５；受信失敗メッセージ）、ステップ４４に処理を移行し、上述したと同様な処理を続行させる。
【０１１１】
図１２及び図１３は、携帯電話の判定電話番号データ登録ファイル中の判定電話番号データを利用者情報管理装置の電話番号等データ登録ＤＢの電話番号等データとして登録する際の動作を示すフローチャートである。操作部１０８に設けられている所定のキーが利用者により押下されると、携帯電話１０の送信部１０４は、電話番号等データＤＢ２０２ｃに対する接続要求を通信網４０及び交換機４５を介して利用者情報管理装置２０に送信する（ステップ７０）。
【０１１２】
利用者情報管理装置２０の送受信部２０３により、電話番号等データ登録ＤＢ２０２ｃに対する接続要求を受信すると（ステップ８０）、判定部２０１ｂは、接続要求に有する電話番号について記憶部２０２に有する許可情報等データ登録ＤＢ２０２ａを検索し、接続要求してきた電話番号が登録され、かつ、この電話番号を有する携帯電話の製造番号がともに許可情報等データ登録ＤＢ２０２ａに登録されているか否かを判定する（ステップ８１）。
【０１１３】
判定部２０１ｂにより、電話番号及び製造番号うちのいずれかが登録されていない場合（ステップ８１；ＮＯ）、すなわち、電話番号等データ登録ＤＢ２０２ｃに接続することができないものと判定された場合には、メッセージ生成部２０１ｉは、接続を不許可とする旨のメッセージを生成し、このメッセージを送受信部２０３に入力する。送受信部２０３は、接続を不許可とする旨のメッセージを交換機４５及び通信網４０を介して携帯電話１０に送信する（ステップ８２）。一方、判定部２０１ｂにより、電話番号及び製造番号がともに登録されている場合には（ステップ８１；ＹＥＳ）、すなわち、電話番号等データ登録ＤＢ２０２ｃに接続することができるものと判定された場合には、メッセージ生成部２０１ｉは、パスワードの入力を要求する旨のメッセージを交換機４５及び通信網４０を介して携帯電話１０に送信する（ステップ８３）。
【０１１４】
携帯電話１０の受信部１０３により、接続を不許可とする旨のメッセージ、及びパスワードの入力を要求する旨のメッセージのいずれかのメッセージを受信すると、判定部１０１ｂは、受信したメッセージが接続を不許可とする旨のメッセージあるか、または、パスワードの入力を要求する旨のメッセージであるかを判定する（ステップ７１）。
【０１１５】
判定部１０１により、受信したメッセージがパスワードの入力を要求する旨のメッセージであると判定された場合には（ステップ７１；パスワード入力要求メッセージ）、送信部１０４は、操作部１０８のキーを操作して利用者が入力したパスワードを、通信網４０及び交換機４５を介して利用者情報管理装置２０に送信する（ステップ７２）。一方、判定部１０１ｂにより、受信したメッセージが接続を不許可とする旨のメッセージであると判定した場合には（ステップ７１；接続不許可メッセージ）、ステップ７６に処理を移行する。
【０１１６】
利用者情報管理装置２０の送受信部２０３により、携帯電話１０から送信されてきたパスワードを受信すると（ステップ８４）、判定部２０１ｂは、入力されたパスワードが許可情報等データ登録ＤＢ２０２ａに登録されているか否かを判定する（ステップ８５）。
【０１１７】
判定部２０１により、受信したパスワードが許可情報等データ登録ＤＢ２０２ａに登録されていないと判定された場合には（ステップ８５；ＮＯ）、メッセージ生成部２０１ｉは、電話番号等データ登録ＤＢ２０２ｃに登録することを不許可とする旨のメッセージを生成し、このメッセージを送受信部２０３に出力する。送受信部２０３は、入力された登録を不許可とする旨のメッセージを交換機４５及び通信網４０を介して携帯電話１０に送信し（ステップ８６）、ステップ９４に処理を移行する。一方、判定部２０１ｂにより、受信したパスワードが許可情報等データ登録ＤＢ２０２ａに登録されていると判定された場合には（ステップ８５；ＹＥＳ）、メッセージ生成部２０１ｉは、登録を許可する旨のメッセージを生成し、このメッセージを送受信部２０３に出力する。送受信部２０３は、入力された登録を許可する旨のメッセージを交換機４５及び通信網４０を介して携帯電話１０に送信する（ステップ８７）。因みに、受信したパスワードが図７（ａ）に示す「ＡＢ１２３４ＣＤ」の場合には、登録を許可する旨のメッセージが携帯電話１０に送信される。
【０１１８】
携帯電話の受信部１０３により、登録を不許可とする旨のメッセージ及び登録を許可する旨のメッセージのうちのいずれかのメッセージを受信すると、判定部１０１ｂは、受信したメッセージが登録を許可する旨のメッセージであるか、または、登録を不許可とする旨のメッセージであるかを判定する（ステップ７３）。
【０１１９】
判定部１０１ｂにより、受信したメッセージが登録を許可する旨のメッセージであると判定された場合には（ステップ７３；登録許可メッセージ）、送信部１０４は、記憶部１０２の判定電話番号データ登録ファイル１０２ｂに記憶されている判定電話番号データのすべてを逐次、通信網４０及び交換機４５を介して利用者情報管理装置２０に送信する（ステップ７４）。一方、判定部１０１ｂにより、受信したメッセージが登録を不許可とする旨のメッセージであると判定された場合には（ステップ７３；登録不許可メッセージ）、ステップ７６に処理を移行する。
【０１２０】
利用者情報管理装置２０の受信部２０３により、判定電話番号データを逐次受信すると（ステップ８８）、内部処理部２０１ｈは、受信した判定電話番号データを記憶部２０２のワーク領域に一時記憶させる。その後、判定部２０１ｂは、すべての判定電話番号データが受信したか否かを判定する（ステップ８９）。
【０１２１】
判定部２０１ｂは、すべての判定電話番号データを受信しなかったと判定された場合（ステップ８９；ＮＯ）、すなわち、判定電話番号データの受信が成功しなかったと判定された場合には、メッセージ生成部２０１ｉは、判定電話番号データの受信に失敗した旨のメッセージを生成し、このメッセージを送受信部２０３に出力する。送受信部２０３は、受信に失敗した旨のメッセージを交換機４５及び通信網４０を介して携帯電話１０に送信し（ステップ９０）、ステップ９４に処理を移行する。一方、判定部２０１ｂにより、すべての判定電話番号データを受信したと判定された場合（ステップ８９；ＹＥＳ）、すなわち、すべての判定電話番号データの受信が成功したと判定された場合には、メッセージ生成部２０１ｉは、受信に成功した旨のメッセージを生成し、このメッセージを送受信部２０３に出力する。送受信部２０３は、受信に成功した旨のメッセージを交換機４５及び通信網４０を介して携帯電話１０に送信する（ステップ９１）。
【０１２２】
送受信部２０３により、判定電話番号データの受信に成功した旨のメッセージを携帯電話１０に送信すると、その後、データ生成部２０１ｇは、ワーク領域に記憶されているすべての判定電話番号データについて、電話番号等データ登録ＤＢ２０２ｃに登録する電話番号等データを逐次生成し、生成した電話番号等データをワーク領域に記憶させる（ステップ９２）。次に、データ登録部２０１ｃは、生成された電話番号等データを電話番号等データ登録ＤＢ２０２ｃに逐次登録する（ステップ９３）。登録が完了すると、内部処理部２０１ｈは通信を切断し（ステップ９４）、処理を終了させる。
【０１２３】
ステップ９０及びステップ９１において、利用者情報管理装置２０により、判定電話番号データの受信に失敗した旨のメッセージ及び判定電話番号データの受信に成功した旨のメッセージのいずれかのメッセージが送信されると、携帯電話１０の受信部１０３がメッセージを受信し、その後、判定部１０１ｂは、受信したメッセージが判定電話番号データの受信に成功した旨のメッセージであるか、または、判定電話番号データの受信に失敗した旨のメッセージであるかを判定する（ステップ７５）。
【０１２４】
判定部により１０１ｂにより、受信したメッセージが判定電話番号データの受信に成功した旨のメッセージであると判定された場合には（ステップ７５；受信成功メッセージ）、通信処理部１０１ａは、通信を切断し（ステップ７６）、処理を終了させる。一方、判定部１０１ｂにより、受信したメッセージが判定電話番号データの受信に失敗した旨のメッセージであると判定された場合には（ステップ７５；受信失敗メッセージ）、ステップ９４に処理を移行し、上述したと同様な処理を続行する。
【０１２５】
図１４及び図１５は、利用者情報管理装置の電話番号等データ登録ＤＢ中の利用者の電話番号等データを携帯電話の判定電話番号データ登録ファイル中の判定電話番号データとして取得する際の動作を示すフローチャートである。まず、携帯電話１０の通信処理部１０１ａは、記憶部１０２に有するワーク領域Ｎに１を代入する（ステップ１００）。次に、操作部１０８に設けられている所定のキーが利用者により押下されると、携帯電話１０の送信部１０４は、電話番号等データＤＢ２０２ｃに対する接続要求を通信網４０及び交換機４５を介して利用者情報管理装置２０に送信する（ステップ１０１）。
【０１２６】
利用者情報管理装置２０の送受信部２０３により、電話番号等データ登録ＤＢ２０２ｃに対する接続要求を受信すると（ステップ１２０）、判定部２０１ｂは、接続要求に有する電話番号について許可情報等データ登録ＤＢ２０２ａを検索し、接続要求してきた電話番号が登録され、かつ、この電話番号を有する携帯電話の製造番号がともに許可情報等データ登録ＤＢ２０２ａに登録されているか否かを判定する（ステップ１２１）。
【０１２７】
判定部２０１ｂにより、電話番号及び製造番号うちのいずれかが登録されていないと判定された場合（ステップ１２１；ＮＯ）、すなわち、電話番号等データ登録ＤＢ２０２ｃに接続することができないものと判定された場合には、メッセージ生成部２０１ｉは、電話番号等データ登録ＤＢ２０２ｃに接続を不許可とする旨のメッセージを生成し、このメッセージを送受信部２０３に入力する。送受信部２０３は、接続を不許可とする旨のメッセージを交換機４５及び通信網４０を介して携帯電話１０に送信する（ステップ１２２）。一方、判定部２０１ｂにより、電話番号及び製造番号がともに登録されていると判定された場合（ステップ１２１；ＹＥＳ）、すなわち、電話番号等データ登録ＤＢ２０２ｃに接続することができるものと判定された場合には、メッセージ生成部２０１ｉは、パスワードの入力を要求する旨のメッセージを生成し、このメッセージを送受信部２０３に入力する。送受信部２０３は、入力されたパスワードの入力を要求するメッセージを交換機４５及び通信網４０を介して携帯電話１０に送信する（ステップ１２３）。
【０１２８】
携帯電話１０の受信部１０３により、利用者情報管理装置２０から接続を不許可とする旨のメッセージ及びパスワードの入力を要求するメッセージのうちのいずれかのメッセージを受信すると、判定部１０１ｂは、受信したメッセージが接続を不許可とする旨のメッセージであるか、または、パスワードの入力を要求するメッセージであるかを判定する（ステップ１０２）。
【０１２９】
判定部１０１ｂにより、受信したメッセージがパスワードの入力を要求するメッセージであると判定された場合には（ステップ１０２；パスワード入力要求メッセージ）、送信部１０４は、操作部１０８のキーを操作して利用者が入力したパスワードを通信網４０及び交換機４５を介して利用者情報管理装置２０に送信する（ステップ１０３）。一方、判定部１０１ｂにより、受信したメッセージが接続を不許可とする旨のメッセージであると判定された場合には（ステップ１０２；接続不許可メッセージ）、ステップ１１４に処理を移行する。
【０１３０】
利用者情報管理装置２０の送受信部２０３により携帯電話１０から送信されてきたパスワードが受信されると（ステップ１２４）、判定部２０１ｂは、入力されたパスワードが許可情報等データ登録ＤＢ２０２ａに登録されているか否かを判定する（ステップ１２５）。
【０１３１】
判定部２０１ｂにより、受信したパスワードが許可情報等データ登録ＤＢ２０２ａに登録されていないと判定した場合には（ステップ１２５；ＮＯ）、メッセージ生成部２０１ｉは、電話番号等データの取得を不許可とする旨のメッセージを生成し、送受信部２０３は、このメッセージを交換機４５及び通信網４０を介して携帯電話１０に送信し（ステップ１２６）、ステップ１３１に処理を移行する。一方、判定部２０１ｂにより、受信したパスワードが許可情報等データ登録ＤＢ２０２ａに登録されていると判定した場合には（ステップ１２５；ＹＥＳ）、メッセージ生成部２０１ｉは、電話番号等データの取得を許可する旨のメッセージを生成し、送受信部２０３は、このメッセージを交換機４５及び通信網４０を介して携帯電話１０に送信する（ステップ１２７）。因みに、受信したパスワードが図７（ａ）に示す「ＥＦ５６７８ＧＨ」の場合には、電話番号等データの取得を許可する旨のメッセージが携帯電話１０に送信される。
【０１３２】
携帯電話の受信部１０３により、電話番号等データの取得を不許可とする旨のメッセージ及び取得を許可する旨のメッセージのうちのいずれかのメッセージが受信されると、判定部１０１ｂは、受信したメッセージが電話番号等データの取得を許可する旨のメッセージであるか、または、不許可にする旨のメッセージであるかを判定する（ステップ１０４）。
【０１３３】
判定部１０１ｂにより、受信したメッセージが電話番号等データの取得を許可する旨のメッセージであると判定された場合には（ステップ１０４；許可メッセージ）、送信部１０４は、電話番号等データ登録ＤＢ２０２ｃに記憶されている電話番号等データの送信要求を、通信網４０及び交換機４５を介して利用者情報管理装置２０に送信する（ステップ１０５）。一方、判定部１０１ｂにより、受信したメッセージが電話番号等データの取得を不許可にする旨のメッセージであると判定した場合には（ステップ１０４；不許可メッセージ）、ステップ１１４に処理を移行する。
【０１３４】
利用者情報管理装置２０の受信部２０３が携帯電話１０から電話番号等データの送信要求を受信すると（ステップ１２８）、内部処理部２０１ｈは、電話番号等データ登録ＤＢ２０２ｃに記憶されている電話番号等データを逐次読み出し、読み出した電話番号等データを送受信部２０３に出力する。送受信部１０３は、入力された電話番号等データを交換機４５及び通信網４０を介して携帯電話１０に送信する（ステップ１２９）。
【０１３５】
携帯電話１０の受信部１０３は、逐次受信した電話番号等データを通信処理部１０１に出力する。通信処理部１０１ａは、入力された電話番号等データを記憶部１０２のワーク領域に一時記憶する。その後、判定部１０１ｂは、すべての利用者の電話番号等データが受信したか否かを判定する（ステップ１０６）。
【０１３６】
判定部１０１ｂにより、すべての利用者の電話番号等データを受信しなかったと判定した場合（ステップ１０６；ＮＯ）、すなわち、利用者の電話番号等データの受信が成功しなかったと判定した場合には、メッセージ生成部１０１ｇは、電話番号等データの受信に失敗した旨のメッセージを生成し、送信部１０４は、このメッセージを通信網４０及び交換機４５介して利用者情報管理装置２０に送信し（ステップ１０８）、ステップ１０９に処理を移行する。一方、判定部１０１ｂにより、すべての電話番号等データを受信したと判定した場合（ステップ１０６；ＹＥＳ）、すなわち、電話番号等データの受信が成功したと判定した場合には、メッセージ生成部２０１ｉは、電話番号等データの受信に成功した旨のメッセージを生成し、送信部１０４は、このメッセージを通信網４０及び交換機４５を介して利用情報管理装置２０に送信する（ステップ１０７）。
【０１３７】
その後、判定部１０１ｂは、送信したメッセージが、電話番号等データの受信に成功した旨のメッセージであるか、または、失敗した旨のメッセージであるかを判定し（ステップ；１０９）。判定部１０１ｂにより、受信に失敗した旨のメッセージであると判定された場合には（ステップ１０９；受信失敗メッセージ）、通信処理部１０１ａは、ワーク領域Ｎに１を加算する（ステップ１１０）。次に、判定部１０１ｂは、ワーク領域Ｎに有する数が所定回数Ｍ以上であるか否かを判定する（ステップ１１１）。判定部１０１ｂにより、ワーク領域Ｎに有する数がＭ以上であると判定された場合には（ステップ１１１；ＹＥＳ）、通信処理部１０１ａは、通信を切断し（ステップ１１４）、処理を終了する。一方、判定部１０１ｂにより、ワーク領域Ｎに有する数がＭ未満であると判定された場合には（ステップ１１１；ＮＯ）、ステップ１０５に処理を移行し、上述したと同様な処理を続行する。
【０１３８】
ステップ１０９において、判定部１０１ｂにより、送信したメッセージが電話番号等データの受信に成功した旨のメッセージであると判定された場合には（ステップ１０９；受信成功メッセージ）、データ生成部１０１ｆは、ワーク領域に記憶されている電話番号等データから判定電話番号データ登録ファイル１０２ｂに登録する判定電話番号データを逐次生成する（ステップ１１２）。次に、データ登録部１０１ｅは、生成した判定電話番号データを判定電話番号データ登録ファイル１０２ｂに登録し（ステップ１１３）、ワーク領域に記憶されている電話番号等データについての判定電話番号データすべてを登録すると、ステップ１１４に処理を移行する。
【０１３９】
ステップ１２９において、電話番号等データを携帯電話１０に送信し終わったのち、判定部２０１ｂは、利用者情報管理装置２０の送受信部１０３から受信したメッセージが、電話番号等データの受信に成功した旨のメッセージであるか、または、受信に失敗した旨のメッセージであるかを判定する（ステップ１３０）。
【０１４０】
判定部２０１ｂにより、受信したメッセージが電話番号等データの受信に成功した旨のメッセージであると判定した場合には（ステップ１３０；受信成功メッセージ）、内部処理部２０１ｈは、通信を切断し（ステップ１３１）、処理を終了させる。一方、判定部２０１ｂにより、受信したメッセージが電話番号等データの受信に失敗した旨のメッセージであると判定した場合には（ステップ１３０；受信失敗メッセージ）、ステップ１２８に処理を移行し、上述したと同様な処理を続行する。
【０１４１】
図１６は、新規に携帯電話を購入した際に電話番号等データ登録ＤＢに販売店端末から電話番号等データを登録する動作を示すフローチャートである。まず、販売店の店員の操作により、許可情報等データ登録ＤＢ２０２ａに登録要求を交換機４７を介して送信する（ステップ１４０）。
【０１４２】
まず、販売店端末３０は、許可情報等データ等登録ＤＢ２０２ａに対する登録要求を交換機４７を介して送信する（ステップ１４０）。利用者情報管理装置２０の送受信部２０３が、許可情報等データ登録ＤＢ２０２ａに対する登録要求を受信すると（ステップ１５０）、メッセージ生成部２０１ｉは、販売店端末３０に対して許可情報等データ登録ＤＢ２０２ａに登録を許可する旨のメッセージ生成し、このメッセージを送受信部２０３に出力する。送受信部２０３は、登録を許可する旨のメッセージを交換機４７を介して販売店端末３０に送信する。（ステップ１５１）。
【０１４３】
その後、販売店端末３０は、店員により入力された、新規に購入された携帯電話についての許可情報等データ登録ＤＢ２０２ａに登録するための情報を交換機４７を介して利用者情報管理装置２０に送信する（ステップ１４１）。ここで、上記情報は、携帯電話を購入した人から提出された申込み書に記載されている情報であって、図７（ａ）に示すように、電話機の製造番号、アクセスできる電話番号（新規に購入された携帯電話の電話番号）、データ登録・取得のためのパスワード、メンバー追加・削除するための特別パスワード等を有している。
【０１４４】
利用者情報管理装置２０の送受信部２０３は、新規に購入された携帯電話についての許可情報等データ登録ＤＢ２０２ａに登録するための情報を受信し（ステップ１５２）、内部処理部２０１ｈに出力する。内部処理部２０１ｈは、入力された上記情報を記憶部２０２のワーク領域に記憶する。次に、データ生成部２０１ｇは、ワーク領域に記憶されている上記情報から許可情報等データを生成し、その後、データ登録部２０１ｃは、生成したこのデータを許可情報等データ登録ＤＢ２０２ａに登録する（ステップ１５３）。メッセージ生成部２０１ｉは、電話番号等データ登録ＤＢ２０２ｃに登録するための情報の送信を許可する旨のメッセージを生成し、送受信部２０３は、このメッセージを交換機４７を介して販売店端末３０に送信する（ステップ１５４）。
【０１４５】
すると、販売店端末３０は、店員により入力された、新規に購入された携帯電話についての電話番号等データ登録ＤＢ２０２ｃに登録するための情報を交換機４７を介して利用者情報管理装置２０に送信し（ステップ１４２）、処理を終了する。上記情報は、携帯電話を購入した人から提出された申込み書に記載されている情報であって、図７（ｃ）に示すように、グループ識別情報、関係（グループ内での関係）、登録した電話番号、登録した名前、メールアドレス等を有している。
【０１４６】
利用者情報管理装置２０の送受信部２０３は、新規に購入された携帯電話についての電話番号等データ登録ＤＢ２０２ｃに登録するための情報を受信し（ステップ１５５）、この情報を内部処理部２０１ｈに出力する。次に、内部処理部２０１ｈは、入力されたこの情報を記憶部２０２のワーク領域に記憶する。次に、データ生成部２０１ｇは、この情報から電話番号等データを生成し、データ登録部２０１ｃは、生成したこのデータを電話番号等データ登録ＤＢ２０２ｃに登録し（ステップ１５６）、処理を終了する。
【０１４７】
図１７は、販売店端末から、既存の携帯電話に関する電話番号等データを電話番号等データ登録ＤＢに登録する動作を示すフローチャートである。まず、販売店の店員の操作により、電話番号等データ登録ＤＢ２０２ｃに対する登録要求を交換機４７を介して送信する（ステップ１４４）。
【０１４８】
利用者情報管理装置２０の送受信部２０３は、電話番号等データ登録ＤＢ２０２ｃに対する登録要求を受信すると（ステップ１５７）、メッセージ生成部２０１ｉは、販売店端末３０に対して電話番号等データ登録ＤＢ２０２ｃに登録を許可する旨のメッセージを送受信部２０３から交換機４７を介して販売店端末３０に送信する。（ステップ１５８）。
【０１４９】
すると、販売店端末３０は、店員により入力された、既存の携帯電話についての電話番号等データ登録ＤＢ２０２ｃに登録するための情報を交換機４７を介して利用者情報管理装置２０に送信し（ステップ１４５）、処理を終了する。
【０１５０】
利用者情報管理装置２０の送受信部２０３は、既存の携帯電話についての電話番号等データ登録ＤＢ２０２ｃに登録するための情報を受信し（ステップ１５９）、この情報を内部処理部２０１ｈに出力する。次に、内部処理部２０１ｈは、受信したこの情報を記憶部２０２のワーク領域に記憶し、その後、データ生成部２０１ｇはこの情報から電話番号等データを生成し、データ登録部２０１ｃは、生成したこのデータを電話番号等データ登録ＤＢ２０２ｃに登録し（ステップ１６０）、処理を終了する。
【０１５１】
図１８及び図１９は、利用者が所属するグループの電話番号等データに新たにグループ管理データを追加登録する際の動作を示すフローチャートである。操作部１０８に設けられている所定のキーが利用者により押下されると、携帯電話１０の送信部１０４は、電話番号等データＤＢ２０２ｃに対する接続要求を通信網４０及び交換機４５を介して利用者情報管理装置２０に送信する（ステップ１６１）。接続要求には携帯電話の電話番号を有している。
【０１５２】
利用者情報管理装置２０の送受信部２０３が、電話番号等データ登録ＤＢ２０２ｃに対する接続要求を受信すると（ステップ１７０）、その後、判定部２０１ｂは、接続要求してきた電話番号について許可情報等データ登録ＤＢ２０２ａを検索し、接続要求してきた電話番号が登録され、かつ、この電話番号を有する携帯電話の製造番号がともに許可情報等データ登録ＤＢ２０２ａに登録されているか否かを判定する（ステップ１７１）。
【０１５３】
判定部２０１ｂにより、電話番号及び製造番号うちのいずれかが登録されていないと判定された場合、すなわち、電話番号等データ登録ＤＢ２０２ｃに接続することができないものと判定された場合には（ステップ１７１；ＮＯ）、メッセージ生成部２０１ｉは、接続を不許可とする旨のメッセージを生成し、送受信部２０２は、このメッセージを交換機及び通信網４０を介して、携帯電話１０に送信する（ステップ１７２）。一方、判定部２０１ｂにより、電話番号及び製造番号がともに登録されていると判定された場合、すなわち、電話番号等データ登録ＤＢ２０２ｃに接続することができるものと判定された場合には（ステップ１７１；ＹＥＳ）、メッセージ生成部２０１ｉは、特別パスワードの入力を要求する旨のメッセージを生成し、送受信部２０３は、このメッセージを交換機４５及び通信網４０を介して携帯電話１０に送信する（ステップ１７３）。
【０１５４】
携帯電話１０の受信部１０３は、電話番号等データの追加登録を許可する旨の特別パスワードを要求するメッセージ、及び追加登録を不許可にする旨のメッセージのうちのいずれかのメッセージを受信すると、判定部１０１ｂは、受信したメッセージが、接続を不許可とする旨のメッセージであるか、または、特別パスワードを要求するメッセージであるかを判定する（ステップ１６２）。
【０１５５】
判定部１０１ｂにより、受信したメッセージが特別パスワードの入力を要求するメッセージであると判定された場合には（ステップ１６２；特パスワード入力要求メッセージ）、送信部１０４は、操作部１０８のキーを操作して利用者が入力した特別パスワードを、通信網４０及び交換機４５を介して利用者情報管理装置２０に送信する（ステップ１６３）。一方、判定部１０１ｂにより、受信したメッセージが接続を不許可とする旨のメッセージであると判定された場合には（ステップ１６２；不許可メッセージ）、ステップ１６７に処理を移行する。
【０１５６】
利用者情報管理装置２０の送受信部２０３が、携帯電話１０から送信されてきた特別パスワードを受信したのち（ステップ１７４）、判定部２０１ｂは、特別パスワードが許可情報等データ登録ＤＢ２０２ａに登録されているか否かを判定する（ステップ１７５）。
【０１５７】
判定部２０１ｈにより、特別パスワードが許可情報等データ登録ＤＢ２０２ａに登録されていないと判定された場合には（ステップ１７５；ＮＯ）、メッセージ生成部２０１ｉは、新たに電話番号等データの追加登録を不許可とする旨のメッセージを生成し、送受信部２０３は、このメッセージを交換機４５及び通信網４０を介して携帯電話１０に送信する（ステップ１７６）。その後、内部処理部２０１ｈは、ステップ１８３に処理を移行させる。一方、判定部２０１ｂにより、受信したパスワードが許可情報等データ登録ＤＢ２０２ａに登録されていると判定した場合には（ステップ１７５；ＹＥＳ）、メッセージ生成部２０１ｉは、新たに電話番号等データの追加登録を許可する旨のメッセージを生成し、送受信部２０３は、このメッセージを交換機４５及び通信網４０を介して携帯電話１０に送信する（ステップ１７７）。因みに、受信した特別パスワードが図７（ａ）に示す「ＵＶ４３２１ＷＸ」の場合には、追加登録を許可する旨のメッセージが携帯電話１０に送信される。
【０１５８】
携帯電話の受信部１０３が上記追加登録を不許可とする旨のメッセージ及び追加登録を許可する旨のメッセージうちのいずれかのメッセージを受信すると、判定部１０１ｂは、受信したメッセージが追加登録を許可する旨のメッセージであるか、または、追加登録を不許可にする旨のメッセージであるかを判定する（ステップ１６４）。
【０１５９】
判定部１０１ｂにより、受信したメッセージが追加登録を許可する旨のメッセージであると判定された場合には（ステップ１６４；許可メッセージ）、送信部１０４は、電話番号等データ登録ＤＢ２０ｃの追加登録するための電話番号等データ生成用のデータを通信網４０及び交換機４５を介して利用者情報管理装置２０に送信する（ステップ１６５）。上記電話番号等データ生成用のデータには、追加するグループを識別するグループ識別情報、グループ内での関係、電話番号、本人の名前、メールアドレス等を有している。一方、判定部１０１ｂにより、受信したメッセージが追加登録を不許可にする旨のメッセージであると判定された場合には（ステップ１６４；不許可メッセージ）、ステップ１６７に処理を移行する。
【０１６０】
利用者情報管理装置２０の受信部２０３が、上記電話番号等データ生成用のデータを受信すると（ステップ１７８）、判定部１０１ｂは、電話番号等データ生成用のデータの受信が成功したか否かを判定する判定する（ステップ１７９）。
【０１６１】
判定部２０１ｂにより、電話番号等データ生成用のデータの受信が成功しなかったと判定された場合（ステップ１７９；ＮＯ）、メッセージ生成部２０１ｉは、電話番号等データ生成用のデータの受信に失敗した旨のメッセージを生成し、このメッセージを送受信部２０３に出力する。送受信部２０３は、このメッセージを交換機４５及び通信網４０を介して携帯電話１０に送信し（ステップ１８０）、ステップ１８４に処理を移行する。一方、判定部２０１ｂにより、電話番号等データの受信が成功したと判定された場合（ステップ１７９；ＹＥＳ）、メッセージ生成部２０１ｉは、電話番号等データ生成用のデータの受信に成功した旨のメッセージを生成し、送受信部２０３は、上記メッセージを交換機４５及び通信網４０を介して携帯電話１０に送信する（ステップ１８１）。
【０１６２】
その後、データ生成部２０１ｆは、受信した電話番号等データ生成用のデータから電話番号等データ登録ＤＢ２０２ｃに追加登録するための電話番号等データを生成する（ステップ１８２）。次に、データ追加登録部２０１ｄは、生成された電話番号等データを電話番号等データ登録ＤＢ２０２ｃに追加登録し（ステップ１８３）、内部処理部２０１ｈは、通信を切断し（ステップ１８３）、処理を終了させる。
【０１６３】
ステップ１８０及びステップ１８１において、利用者情報管理装置２０が、電話番号等データ生成用のデータの受信に成功した旨のメッセージ、及び受信に失敗して旨のメッセージのいずれかのメッセージを送信すると、携帯電話１０の受信部１０３は、上記メッセージのいずれかを受信し、判定部１０１ｂは、受信に成功した旨のメッセージであるか、または、受信に失敗した旨のメッセージであるかを判定する（ステップ１６６）。
【０１６４】
判定部１０１ｂにより、受信に成功した旨のメッセージであると判定された場合には（ステップ１６６；受信成功メッセージ）、通信処理部１０１ａは、通信を切断し（ステップ１６７）、処理を終了させる。一方、判定部１０１ｂにより、受信に失敗した旨のメッセージであると判定した場合には（ステップ１６６；受信失敗メッセージ）、通信処理部１０１ａは、ステップ１６５に処理を移行し、上述したと同様な処理を続行させる。
【０１６５】
図２０及び図２１は、利用者が所属するグループの電話番号等データ登録ＤＢから電話番号等データを削除する際の動作を示すフローチャートである。操作部１０８に設けられている所定のキーが利用者により押下されると、携帯電話１０の送信部１０４は、電話番号等データＤＢ２０２ｃに対する接続要求を通信網４０及び交換機４５を介して利用者情報管理装置２０に送信する（ステップ１９０）。接続要求には携帯電話の電話番号を有している。
【０１６６】
利用者情報管理装置２０の送受信部２０３が、電話番号等データ登録ＤＢ２０２ｃに対する接続要求を受信すると（ステップ２００）、判定部２０１ｂは、接続要求してきた電話番号について許可情報等データ登録ＤＢ２０２ａを検索し、接続要求してきた電話番号が登録され、かつ、この電話番号を有する携帯電話の製造番号がともに許可情報等データ登録ＤＢ２０２ａに登録されているか否かを判定する（ステップ２０１）。
【０１６７】
判定部２０１ｂにより、電話番号及び製造番号うちのいずれかが登録されていないとき、すなわち、電話番号等データ登録ＤＢ２０２ｃに接続することができないものと判定された場合には（ステップ２０１；ＮＯ）、メッセージ生成部２０１ｉは、接続を不許可とする旨のメッセージを生成し、送受信部２０３は、このメッセージを交換機４５及び通信網４０を介して携帯電話１０に送信する（ステップ２０２）。一方、判定部２０１ｂにより、電話番号及び製造番号がともに登録されているとき、すなわち、電話番号等データ登録ＤＢ２０２ｃに接続することができるものと判定した場合には（ステップ２０１；ＹＥＳ）、メッセージ生成部２０１ｉは、電話番号等データを削除するための特別パスワードの入力を要求する旨のメッセージを生成し、送受信部２０３は、このメッセージを交換機４５及び通信網４０を介して携帯電話１０に送信する（ステップ２０３）。
【０１６８】
携帯電話１０の受信部１０３が、上記接続を不許可とする旨のメッセージ及び特別パスワードの入力を要求する旨のメッセージのうちのいずれかのメッセージを受信すると、判定部２０１ｂは、受信したメッセージが接続を不許可とする旨のメッセージであるか、または、特別パスワードの入力を要求する旨のメッセージであるかを判定する（ステップ１９１）。
【０１６９】
判定部１０１ｂにより、受信したメッセージが特別パスワードの入力を要求する旨メッセージであると判定した場合には（ステップ１９１；特別パスワード入力要求メッセージ）、送信部１０４は、操作部１０８のキーを操作して利用者が入力した特別パスワードを通信網４０及び交換機４５を介して利用者情報管理装置２０に送信する（ステップ１９２）。一方、判定部１０１ｂにより、受信したメッセージが接続を不許可とする旨のメッセージであると判定された場合には（ステップ１９１；不許可メッセージ）、ステップ１９６に処理を移行する。
【０１７０】
利用者情報管理装置２０の送受信部２０３が携帯電話１０から送信されてきた特別パスワードを受信すると（ステップ２０４）、判定部２０１は、入力された特別パスワードが許可情報等データ登録ＤＢ２０２ａに登録されているか否かを判定する（ステップ２０５）。
【０１７１】
判定部２０１ｂにより、受信した特別パスワードが許可情報等データ登録ＤＢ２０２ａに登録されていないと判定した場合には（ステップ２０５；ＮＯ）、メッセージ生成部２０１ｉは、電話番号等データ登録ＤＢ２０２ｃから電話番号等データを削除することを不許可とする旨のメッセージを生成し、送受信部２０３は、このメッセージを交換機４５及び通信網４０を介して携帯電話１０に送信し（ステップ２０６）、ステップ２１３に処理を移行する。一方、判定部ｂにより、受信した特別パスワードが許可情報等データ登録ＤＢ２０２ａに登録されていると判定された場合には（ステップ２０５；ＹＥＳ）、メッセージ生成部２０１ｉは、電話番号等データの削除を許可する旨のメッセージ生成し、送受信部２０３は、このメッセージを交換機４５及び通信網４０を介して携帯電話１０に送信する（ステップ２０７）。因みに、受信した特別パスワードが図７（ａ）に示す「ＭＮ２１０９ＯＰ」の場合には、削除を許可する旨のメッセージが携帯電話１０に送信される。
【０１７２】
携帯電話の受信部１０３が上記削除を不許可とする旨のメッセージ及び削除を許可する旨のメッセージのうちのいずれかのメッセージを受信すると、判定部１０１ｂは、受信したメッセージが削除を許可する旨のメッセージであるか、または、削除を不許可とする旨のメッセージであるかを判定する（ステップ１９３）。
【０１７３】
判定部１０１ｂは、受信したメッセージが削除を許可するメッセージであると判定された場合には（ステップ１９３；許可メッセージ）、データ生成部１０１ｆは、操作部１０８により入力された、電話番号等データを削除するのに必要となる情報、すなわち、グループ識別情報、電話番号、及び登録した名前が記述された、電話番号等データ記憶手段２０２ｃから削除する電話番号等データを指定する削除データを生成し、この削除データを送信部１０４に出力する。送信部１０４は、この削除データを通信網４０及び交換機４５を介して利用者情報管理装置２０に送信する（ステップ１９４）。一方、判定部１０１により、受信したメッセージが削除を不許可とする旨のメッセージであると判定した場合には（ステップ１９３；不許可メッセージ）、ステップ１９６に処理を移行する。
【０１７４】
利用者情報管理装置２０の受信部２０３が上記削除データを受信すると（ステップ２０８）、その後、判定部２０１ｂは、削除データの受信が成功したか否かを判定する（ステップ２０９）。
【０１７５】
判定部２０１ｂにより、削除データの受信に失敗したと判定された場合（ステップ２０９；ＮＯ）、メッセージ生成部２０１ｉは、受信に失敗した旨のメッセージを生成し、このメッセージを送受信部２０３に出力する。送受信部２０３は、このメッセージを交換機４５及び通信網４０を介して携帯電話１０に送信し（ステップ２１０）、その後、内部処理部２０１ｈは、ステップ２１３に処理を移行させる。一方、判定部２０１ｂにより、上記削除データの受信に成功した判定した場合（ステップ２０９；ＹＥＳ）、メッセージ生成部２０１ｉは、受信に成功した旨のメッセージを生成し、このメッセージを送受信部２０３に出力する。送受信部２０３は、このメッセージを交換機４５及び通信網４０を介して携帯電話１０に送信する（ステップ２１１）。
【０１７６】
その後、データ削除部２０１ｅは、送信されてきた削除データに記述されているグループ識別情報及び電話番号を有する電話番号等データを、電話番号等データ記憶手段２０２ｃから削除する（ステップ２１２）。次に、内部処理部２０１ｈは、通信を切断し（ステップ２１３）、処理を終了させる。例えば、削除データに、グループ識別情報として「Ａ１１１１」が、また、電話番号として「０９０−１２３４−０００３」が、名前として「山田太郎」が記述されている場合には、図７（ｃ）中の符号Ｂに示す電話番号等データが削除される。
【０１７７】
ステップ２１０及びステップ２１１において、利用者情報管理装置２０が削除データの受信に失敗した旨の旨のメッセージ、及び、削除データの受信に成功した旨のメッセージのいずれかのメッセージを送信すると、携帯電話１０の受信部１０３は上記メッセージのいずれかを受信する。その後、判定部０１ｂは、受信したメッセージが削除データの受信に成功した旨のメッセージであるか、または、削除データの受信に失敗した旨のメッセージであるかを判定する（ステップ１９５）。
【０１７８】
判定１０１ｂにより、受信したメッセージが削除データの受信に成功した旨のメッセージであると判定された場合には、（ステップ１９５；受信成功メッセージ）、通信処理部１０１ａは通信を切断し（ステップ１９６）、処理を終了させる。一方、判定部制御部１０１により、受信したメッセージが上記情報の受信に失敗した旨のメッセージであると判定された場合には（ステップ１９５；受信失敗メッセージ）、通信処理部１０１ａは、ステップ１９４に処理を移行し、上述したと同様な処理を続行させる。
【０１７９】
図２２及び図２３は、電話番号等データ登録ＤＢから利用者が所属する電話番号等データを更新する際の動作を示すフローチャートである。操作部１０８に設けられている所定のキーが利用者により押下されると、携帯電話１０の送信部１０４は、電話番号等データＤＢ２０２ｃに対する接続要求を通信網４０及び交換機４５を介して利用者情報管理装置２０に送信する（ステップ２２０）。接続要求には携帯電話の電話番号を有している。
【０１８０】
利用者情報管理装置２０の送受信部２０３が、電話番号等データ登録ＤＢ２０２ｃに対する接続要求を受信したのち（ステップ２３０）、判定部２０１ｂは、接続要求してきた電話番号について許可情報等データ登録ＤＢ２０２ａを検索し、接続要求してきた電話番号が登録され、かつ、この電話番号を有する携帯電話の製造番号がともに許可情報等データ登録ＤＢ２０２ａに登録されているか否かを判定する（ステップ２３１）。
【０１８１】
判定部２０１ｂにより、電話番号及び製造番号のうちのいずれかが登録されていないとき、すなわち、電話番号等データ登録ＤＢ２０２ｃに接続することができないものと判定した場合には（ステップ２３１；ＮＯ）、メッセージ生成部２０１ｉは、接続を不許可とする旨のメッセージを生成し、このメッセージを送受信部２０３に出力する。次に、送受信部２０３は、このメッセージを交換機及び通信網４０を介して携帯電話１０に送信する（ステップ２３２）。一方、判定部２０１ｂにより、電話番号及び製造番号がともに登録されているとき、すなわち、電話番号等データ登録ＤＢ２０２ｃに接続することができるものと判定された場合には（ステップ２３１；ＹＥＳ）、メッセージ生成部２０１ｉは、電話番号等データを更新するための特別パスワードの入力を要求するメッセージを生成し、このメッセージを送受信部２０３出力する。送受信部２０３は、交換機４５及び通信網４０を介して携帯電話１０に送信する（ステップ２３３）。
【０１８２】
携帯電話１０の受信部１０３が、接続を不許可とする旨のメッセージ及び特別パスワードの入力を要求するメッセージのうちのいずれかのメッセージを受信したのち、判定部１０１ｂは、受信したメッセージが接続を不許可とする旨のメッセージであるか、または、特別パスワードの入力を要求するメッセージであるかを判定する（ステップ２２１）。
【０１８３】
判定部１０１ｂにより、受信したメッセージが特別パスワードの入力を要求するメッセージであると判定した場合には（ステップ２２１；特別パスワードの入力要求メッセージ）、送信部１０４は、入力された、操作部１０８のキーを操作して利用者が入力した特別パスワードを、通信網４０及び交換機４５を介して利用者情報管理装置２０に送信する（ステップ２２２）。一方、判定部１０１ｂにより、受信したメッセージが接続を不許可とする旨のメッセージであると判定した場合には（ステップ２２１；不許可メッセージ）、ステップ２２６に処理を移行する。
【０１８４】
利用者情報管理装置２０の送受信部２０３が、携帯電話１０から送信されてきた特別パスワードを受信したのち（ステップ２３４）、判定部２０１ｂは、入力された特別パスワードが許可情報等データ登録ＤＢ２０２ａに登録されているか否かを判定する（ステップ２３５）。
【０１８５】
判定部２０１ｂにより、受信したパスワードが許可情報等データ登録ＤＢ２０２ａに登録されていないと判定した場合には（ステップ２３５；ＮＯ）、メッセージ生成部２０１ｉは、電話番号等データを変更することが不許可とする旨のメッセージを生成し、このメッセージを送受信部２０３に出力する。送受信部２０３は、このメッセージを交換機４５及び通信網４０を介して携帯電話１０に送信し（ステップ２３６）、ステップ２４３に処理を移行する。一方、判定部２０１ｂにより、受信した特別パスワードが許可情報等データ登録ＤＢ２０２ａに登録されていると判定した場合には（ステップ２３５；ＹＥＳ）、メッセージ生成部２０１ｉは、電話番号等データの変更を許可する旨のメッセージを生成し、このメッセージを送受信部２０３に出力する。送受信部２０３は、このメッセージを換機４５及び通信網４０を介して携帯電話１０に送信する（ステップ２３７）。例えば、受信した特別パスワードが図７（ａ）に示す「ＱＲ８６５ＳＴ」の場合には、変更を促すメッセージが携帯電話１０に送信される。
【０１８６】
携帯電話の受信部１０３が、上記変更を不許可とする旨のメッセージ及び変更を許可する旨のメッセージのうちのいずれかのメッセージを受信したのち、判定部１０１ｂは、受信したメッセージが変更を許可する旨のメッセージであるか、または、変更を不許可にする旨のメッセージであるかを判定する（ステップ２２３）。
【０１８７】
判定部１０１ｂにより、受信したメッセージが変更を許可する旨のメッセージであると判定された場合には（ステップ２２３；許可メッセージ）、データ生成部１０１ｆは、入力された、電話番号等データを変更するのに必要となる情報、すなわち、グループ識別情報、グループ内での関係、電話番号、本人の名前、メールアドレス等から、電話番号等データ記憶手段２０２ｃ中の電話番号等データを変更するための電話番号等更新データを生成し、この電話番号等更新データを送受信部２０３に出力する。送受信部２０３は、この電話番号等更新データを通信網４０及び交換機４５を介して利用者情報管理装置２０に送信する（ステップ２２４）。一方、判定部１０１ｂにより、受信したメッセージが変更を不許可とする旨のメッセージであると判定した場合には（ステップ２２３；不許可メッセージ）、ステップ２２６に処理を移行する。
【０１８８】
利用者情報管理装置２０の受信部２０３が上記電話番号等更新データを情報を受信すると（ステップ２３８）、その後、判定部２０１ｂは、電話番号等変更データを受信したか否かを判定する（ステップ２３９）。
【０１８９】
判定部２０１ｂにより、上記電話番号等更新データを受信しなかったと判定した場合（ステップ２３９；ＮＯ）、メッセージ生成部２０１ｉは、受信に失敗した旨のメッセージを生成し、このメッセージを送受信部２０３に出力する。送受信部２０３は、このメッセージを交換機４５及び通信網４０を介して携帯電話１０に送信し（ステップ２４０）、ステップ２４３に処理を移行する。一方、判定部２０１ｂにより、電話番号等更新データを受信に成功したと判定した場合（ステップ２３９；ＹＥＳ）、メッセージ生成部２０１ｉは、受信に成功した旨のメッセージを生成し、このメッセージを送受信部２０３に入力する。送受信部２０３は、このメッセージを交換機４５及び通信網４０を介して携帯電話１０に送信する（ステップ２４１）。
【０１９０】
その後、データ変更部２０１ｆは、電話番号等変更データに記述されているグループ識別情報、電話番号、及び登録された名前を有する電話番号等データを電話番号等データ登録ＤＢ２０２ｃから削除し、この削除した箇所に、上記電話番号等変更データを電話番号等データとして登録して、電話番号等データを更新する（ステップ２４２）。次に、内部処理部２０１ｈは、通信を切断し（ステップ２４３）、処理を終了させる。例えば、図７（ｃ）中の符合Ｂに示す電話番号等データ中のメールアドレスを「ｃｃｃ＠．ｄｄｄ．ｃｏ．ｊｐ」を「ｇｇｇ＠．ｈｈｈ．ｃｏ．ｊｐ」に更新する場合には、更新するのに必要となる情報として、グループ識別情報として「Ａ１１１１」を、グループ内での関係として、「親族」を、電話番号として「０９０−４３２１−０００４」を、登録した名前として「鈴木花子」を、メールアドレスとしてｇｇｇ＠．ｈｈｈ．ｃｏ．ｊｐ」有する。
【０１９１】
ステップ２４０及びステップ２４１において、利用者情報管理装置２０が電話番号等変更データの受信に失敗した旨のメッセージ、及び、受信に成功した旨のメッセージを送信すると、携帯電話１０の受信部１０３が上記メッセージのいずれかを受信し、その後、判定部１０１ｂは、受信したメッセージが電話番号等更新データの受信に成功した旨のメッセージであるか、または、メッセージ番号等変更データの受信に失敗した旨のメッセージであるかを判定する（ステップ２２５）。
【０１９２】
判定部１０１ｂにより、受信したメッセージが電話番号等変更データの受信に成功した旨のメッセージであると判定した場合には（ステップ２２５；受信成功メッセージ）、通信処理部１０１ａは、通信を切断し（ステップ２２６）、処理を終了させる。一方、判定部１０１ｂにより、受信したメッセージが電話番号等変更データの受信に失敗した旨のメッセージであると判定した場合には（ステップ２２５；受信失敗メッセージ）、通信処理部１０１ａは、ステップ２２４に処理を移行し、上述したと同様な処理を続行させる。
【０１９３】
この実施形態によれば、判定部１０１ｂにより、利用者情報管理装置２０から送信されてきた電話番号が、ワン切り電話データ登録ファイル１０２ａに記憶されているワン切り電話データに登録されているか否かが判定されるので、受信したワン切り電話番号とされない電話番号の中にある、利用者にとって迷惑なワン切り電話番号を利用者に非通にすることができる。
【０１９４】
また、この実施形態によれば、グループ識別情報及び携帯電話が記述されたワン切り電話番号等データが、ワン切り電話番号等データ登録ＤＢ２０２ｂに登録されているか否かが、利用者情報管理装置２０の判定部２０１ｂにより判定されるので、利用者の例えば友人、親類等の一定のグループに関するワン切り電話の着信を防止するという決め細かいサービスを提供することができる。
【０１９５】
また、この実施形態によれば、利用者情報管理装置２０から送信されてきた電話番号が、ワン切り電話データ登録ファイル１０２ａに登録されていないと判定され、かつ、タイマ１０９により計時された受信時間が所定時間未満で、かつ、この電話番号が判定電話番号データ登録ファイル１０２ｂに登録されていない場合には、この電話番号をワン切り電話番号であると判定するので、ワン切り電話番号であるか否かの判定に要する時間を短縮することができる。
【０１９６】
また、この実施形態によれば、携帯電話１０が、ワン切り電話データ登録ファイル１０２ａに記憶されているワン切り電話データを、利用者情報管理装置１０のワン切り電話番号等データ登録ＤＢ２０２ｂに安全確実に登録することができる。
【０１９７】
また、この実施形態によれば、携帯電話１０が、判定電話番号データ登録ファイル１０２ｂに登録されている判定電話番号データを、利用者情報管理装置２０の電話番号等データ登録ＤＢ２０２ｃに安全確実に登録することができる。
【０１９８】
また、この実施形態によれば、携帯電話１０が、利用者情報管理装置２０の電話番号等データ登録ＤＢ２０２ｃから安全確実に電話番号等データを取得することができる。
【０１９９】
また、この実施形態によれば、携帯電話１０が利用者情報管理装置２０の電話番号等データ登録ＤＢ２０２ｃに安全確実に電話番号等データを追加登録することができる。
【０２００】
また、この実施形態によれば、携帯電話１０が利用者情報管理装置２０の電話番号等データ登録ＤＢ２０２ｃに記憶されている電話番号等データを安全確実に削除することができる。
【０２０１】
また、この実施形態によればこの構成によれば、携帯電話１０が利用者情報管理装置２０の電話番号等データ登録ＤＢ２０２ｃに記憶されている電話番号等データを安全確実に変更する取得することができる。
【図面の簡単な説明】
【０２０２】
【図１】本発明に係る実施形態のワン切り電話着信防止システムの構成を示すブロック図である。
【図２】図１中の携帯電話の構成を示すブロック図である。
【図３】図１中の携帯電話の機能を示す機能ブロック図である。
【図４】図４（ａ）は、図２中のワン切り電話データ登録ファイルの構成を示す図である。図４（ｂ）は、図２中の判定電話番号データ登録ファイルの構成を示す図である。
【図５】図１中の利用者情報管理装置の構成を示すブロック図である。
【図６】図１中の利用者情報管理装置の機能を示す機能ブロック図である。
【図７】図７（ａ）は、図５中の許可情報等データ登録ＤＢの構成を示す図である。図７（ｂ）は、図５中のワン切り電話番号等データ登録ＤＢの構成を示す図である。図７（ｃ）は、図５中の電話番号等データ登録ＤＢの構成を示す図である。
【図８】ワン切り電話着信防止システムの電話着信時の動作を示すフローチャートである。
【図９】ワン切り電話着信防止システムの電話着信時の動作を示すフローチャートである。
【図１０】ワン切り電話着信防止システムのワン切り電話番号登録時の動作を示すフローチャートである。
【図１１】ワン切り電話着信防止システムのワン切り電話番号登録時の動作を示すフローチャートである。
【図１２】ワン切り電話着信防止システムの判定電話番号登録時の動作を示すフローチャートである。
【図１３】ワン切り電話着信防止システムの判定電話番号登録時の動作を示すフローチャートである。
【図１４】ワン切り電話着信防止システムの判定電話番号取得時の動作を示すフローチャートである。
【図１５】ワン切り電話着信防止システムの判定電話番号取得時の動作を示すフローチャートである。
【図１６】ワン切り電話着信防止システムの新規携帯電話の情報登録時の動作を示すフローチャートである。
【図１７】ワン切り電話着信防止システムの既存携帯電話の情報登録時の動作を示すフローチャートである。
【図１８】ワン切り電話着信防止システムのグループ管理データの追加時の動作を示すフローチャートである。
【図１９】ワン切り電話着信防止システムのグループ管理データの追加時の動作を示すフローチャートである。
【図２０】ワン切り電話着信防止システムのグループ管理データの削除時の動作を示すフローチャートである。
【図２１】ワン切り電話着信防止システムのグループ管理データの削除時の動作を示すフローチャートである。
【図２２】ワン切り電話着信防止システムのグループ管理データの変更時の動作を示すフローチャートである。
【図２３】ワン切り電話着信防止システムのグループ管理データの変更時の動作を示すフローチャートである。
【図２４】従来の通信システムの構成を示すブロック図である。
【図２５】従来の携帯電話着信制限システムの構成を示すブロック図である。
【符号の説明】
【０２０３】
１０  携帯電話（携帯電話機）
１０１  制御部
１０１ａ  通信処理部
１０１ｂ  判定部
１０１ｃ  着信通知部（着信通知手段）
１０１ｄ  特定部
１０１ｅ  データ登録部（登録手段、判定電話番号登録手段）
１０１ｆ  データ生成部
１０１ｈ  メッセージ生成部
１０２  記憶部
１０２ａ  ワン切り電話データ登録ファイル（ワン切り電話番号記憶手段）
１０２ｂ  判定電話番号データ登録ファイル（判定電話番号記憶手段）
１０３  受信部
１０４  送信部（データベース登録手段、登録要求手段、判定電話番号登録要求手段）
１０５  音声出力部
１０６  音声入力部
１０７  表示部
１０８  操作部
１０９  タイマ（計時手段）
１１０  アンテナ
２０  利用者情報管理装置
２０１  制御部
２０１ａ  識別情報特定部
２０１ｂ  判定部（認証手段）
２０１ｃ  データ登録部（管理装置側登録手段、管理装置側判定電話番号登録手段）
２０１ｄ  データ追加登録部（更新手段）
２０１ｅ  データ削除部（更新手段）
２０１ｆ  データ更新部（更新手段）
２０１ｇ  データ生成部
２０１ｈ  内部処理部
２０１ｉ  メッセージ生成部
２０２  記憶部
２０２ａ  許可情報等データ登録ＤＢ（利用者情報記憶手段）
２０２ｂ  ワン切り電話番号等データ登録ＤＢ（グループ別ワン切り電話番号記憶手段）
２０２ｃ  電話番号等データ登録ＤＢ（グループ別判定電話番号記憶手段）
２０３  送受信部（判定電話番号送信手段）
４０  通信網
４５、４７  交換機
【図１】
2007110213.tif 000003
【図２】
2007110213.tif 000004
【図３】
2007110213.tif 000005
【図４】
2007110213.tif 000006
【図５】
2007110213.tif 000007
【図６】
2007110213.tif 000008
【図７】
2007110213.tif 000009
【図８】
2007110213.tif 000010
【図９】
2007110213.tif 000011
【図１０】
2007110213.tif 000012
【図１１】
2007110213.tif 000013
【図１２】
2007110213.tif 000014
【図１３】
2007110213.tif 000015
【図１４】
2007110213.tif 000016
【図１５】
2007110213.tif 000017
【図１６】
2007110213.tif 000018
【図１７】
2007110213.tif 000019
【図１８】
2007110213.tif 000020
【図１９】
2007110213.tif 000021
【図２０】
2007110213.tif 000022
【図２１】
2007110213.tif 000023
【図２２】
2007110213.tif 000024
【図２３】
2007110213.tif 000025
【図２４】
2007110213.tif 000026
【図２５】
2007110213.tif 000027